(57)【要約】【課題】糸を付けた遊技球を操作して不正に入賞させる行為を抑止する。【解決手段】遊技球発射機構８０を備えた遊技機１０であって、遊技球Ｂを導入する導入口８０１７と、発射レール８００２と、導入口８０１７から連続する誘導路８０１７ｂの近傍に取り付けられた、刃部８０２２を有する切断部材８０２１と、を備え、導入口８０１７を通り誘導路８０１７ｂから落下した遊技球Ｂを、発射レール８００２の発射位置から発射させる際に、飛び出す糸Ｓを付けた遊技球Ｂに引っ張られる糸Ｓを切断するように切断部材８０２１を導入口８０１７の誘導路８０１７ｂの近傍の下縁側に取り付けた。【選択図】図１３
2014090870.tif 000002
【特許請求の範囲】
【請求項１】
遊技機の遊技領域へ向けて遊技球を発射すると共に、糸付き球の糸を切断する機能を有する遊技球発射機構を備えた遊技機であって、
球受け皿に貯溜されている遊技球を１球ずつ供給する球送り機構と、
前記球受け皿から遊技球を前記球送り機構に導入する導入口と、
前記球送り機構により供給されて発射装置によって発射された遊技球を前記遊技領域へ向けて誘導する発射レールと、
前記導入口から連続する誘導路の近傍に取り付けられた、刃部を有する切断部材と、を備え、
前記導入口を通り誘導路から落下した遊技球を、前記発射レールの発射位置から発射させる際に、この飛び出す遊技球に引っ張られる糸を切断するように、遊技球の発射方向に対向するように刃部を向けて前記切断部材を取り付けた、ことを特徴とする遊技機。
【請求項２】
前記切断部材の刃部は、前記導入口から連続する誘導路の近傍の下縁側に取り付けられた、ことを特徴とする請求項１の遊技機。
【請求項３】
前記導入口から連続する誘導路かつ前記切断部材の上方に、導入された遊技球が該切断部材に接触しないように、平断面形状が該切断部材側が大きく突出し、該切断部材から離間するに従い小さく突出するように形成した誘導壁を、該切断部材と並行に配置した、ことを特徴とする請求項１又は２の遊技機。
【請求項４】
前記切断部材は、糸を捉えやすいように横向きのＶ字形状になる刃部を備えた、ことを特徴とする請求項１、２又は３の遊技機。
【請求項５】
前記切断部材は、刃部が横向きのＶ字形状になる共に、該刃部の谷位置から横方向に隙間を開け、該刃部の厚み方向にずれている、ことを特徴とする請求項４の遊技機。
【発明の詳細な説明】
【技術分野】
【０００１】
本発明は、パチンコ、スロットマシンあるいはメダルの代わりにパチンコ球でスロットマシンの遊技をするパロット等の遊技機に関する。
【背景技術】
【０００２】
パチンコ機（遊技機）は、球受け皿内の遊技球を遊技領域の上流へ向けて発射し、遊技領域を流下する遊技球が遊技領域に配された入賞口に入球すると、遊技者は所定個数の賞球を受けることができる。そこで、入賞口に入球しやすいように、いわゆる「糸付き球」を用いて不正行為が多く行われるようになった。この「糸付き球」とは、遊技球に釣り糸などの糸を取り付けたものである。この糸付き球を遊技領域に向けて発射し、この糸をパチンコ機の外部から操作することで、その遊技球を入賞口まで誘導して、不正に賞球などを得る行為がなされている。
【０００３】
なお、遊技球が遊技領域（遊技盤面）で動かないと不自然であるために、金属製の遊技球に代えて、パチンコ機の外部から見えづらい透明な合成樹脂製の球を用いた、合成樹脂製の球に釣り糸などの糸を取り付けた「糸付き球」も使用されている。
【０００４】
糸付き球を用いて不正に遊技球を入賞させる不正入賞行為を抑止する技術について、例えば特許文献１の特開２０１２−３４８５４号公報の「弾球遊技機の球通路構造」が提案されている。
【先行技術文献】
【特許文献】
【０００５】
【特許文献１】特開２０１２−３４８５４号公報
【発明の概要】
【発明が解決しようとする課題】
【０００６】
しかし、特許文献１の「弾球遊技機の球通路構造」では、糸が緩んでいるときは、的確に糸を捉えづらかった。即ち、糸が緩んでいるときは、糸の切断がしづらいという問題を有していた。
【０００７】
本発明は、上述した問題点等を解決するために創案されたものである。すなわち、本発明の目的は、糸等を付けた遊技球を操作して不正に入賞させる行為を抑止できる遊技機を提供することにある。
【課題を解決するための手段】
【０００８】
本発明は、遊技機の遊技領域へ向けて遊技球を発射すると共に、糸付き球の糸を切断する機能を有する遊技球発射機構を備えた遊技機であって、球受け皿に貯溜されている遊技球を１球ずつ供給する球送り機構と、前記球受け皿から遊技球を前記球送り機構に導入する導入口と、前記球送り機構により供給されて発射装置によって発射された遊技球を前記遊技領域へ向けて誘導する発射レールと、前記導入口から連続する誘導路の近傍に取り付けられた、刃部を有する切断部材と、を備え、前記導入口を通り誘導路から落下した遊技球を、前記発射レールの発射位置から発射させる際に、この飛び出す遊技球に引っ張られる糸を切断するように、遊技球の発射方向に対向するように刃部を向けて前記切断部材を取り付けた、ことを特徴とする。
【発明の効果】
【０００９】
上記構成の発明では、糸付き球の糸が緩んでいても、遊技球が発射される際に、その糸を切断することができる。
【図面の簡単な説明】
【００１０】
【図１】一実施の形態におけるパチンコ機を示す斜視図である。
【図２】パチンコ機の主要な構成を展開して示す斜視図である。
【図３】パチンコ機の主要な構成を展開して示す斜視図である。
【図４】パチンコ機の構成を示す背面図である。
【図５】遊技機ベースユニットの構成を示す正面図である。
【図６】遊技盤の構成を示す正面図である。
【図７】遊技機ベースユニットの構成を示す背面図である。
【図８】遊技機前面ユニットの構成を示す背面図である。
【図９】裏パックユニットの構成を示す正面図である。
【図１０】裏パックユニットの構成を示す分解斜視図である。
【図１１】実施例１の遊技球発射機構を示す斜視図である。
【図１２】実施例１の遊技球発射機構を示す正面図である。
【図１３】実施例１の遊技球発射機構を示す分解斜視図である。
【図１４】球送り機構を示し、（ａ）は球送り機構の開閉部の正面図、（ｂ）は球送り機構の開閉部の背面図である。
【図１５】導入口に送られた遊技球Ｂが送出片により１球ずつ発射レールに落とされる状態の球送り機構の開閉部を示す拡大正面図である。
【図１６】切断部材の拡大図を示し、（ａ）は左側面図、（ｂ）は正面図、（ｃ）は右側面図、（ｄ）は背面図、（ｅ）は平面図、（ｆ）は底面図である。
【図１７】導入口における遊技球の動作状態を示し、（ａ）は拡大正面図、（ｂ）は拡大右側面図である。
【図１８】導入口における遊技球の動作状態の拡大平断面図であり、（ａ）は導入口の上部位置、（ｂ）は導入口の中部位置、（ｃ）は導入口の下部位置を示す。
【図１９】遊技球の下側に糸が引き込まれた状態で、この糸が切断部材で切断される状態を示す拡大図であり、（ａ）は導入口から導入された遊技球が、更に送出片まで送られた状態、（ｂ）は遊技球が発射装置で発射された状態である。
【図２０】遊技球の上側に糸が引き込まれた状態で、この糸が切断部材で切断される状態を示す拡大図であり、（ａ）は導入口から導入された遊技球が、更に送出片まで送られた状態、（ｂ）は遊技球が発射装置で発射された状態である。
【図２１】実施例２の遊技球発射機構を示す斜視図である。
【図２２】実施例２の遊技球発射機構を示す正面図である。
【図２３】実施例２の遊技球発射機構を示す分解斜視図である。
【図２４】球送り機構と感圧検出部を示し、（ａ）は球送り機構の開閉部の正面図、（ｂ）は球送り機構の開閉部の背面図である。
【図２５】導入口に送られた遊技球が送出片により１球ずつ発射レールに落とされる状態の球送り機構の開閉部を示す拡大正面図である。
【図２６】感圧検出部を示し、（ａ）は拡大側面図、（ｂ）は拡大正面図である。
【図２７】感圧検出部に接触子を用いた状態を示し、（ａ）は拡大側面図、（ｂ）は拡大正面図である。
【図２８】感圧検出部を用いた糸検出の処理フロー図である。
【図２９】感圧検出部の接触子の変形例を示す正面図であり、（ａ）は凹部が湾曲形状した状態、（ｂ）は鉤形状した状態、（ｃ）は横向きのＶ字形状した状態、（ｄ）は横向きのＵ字形状した状態である。
【図３０】導入口の誘導壁と感圧検出部を示す拡大図であり、（ａ）は正面図、（ｂ）は平断面図である。
【図３１】遊技球の下側に糸が引き込まれた状態で、このＳが検出部（接触子）で接触が検出される状態を示す拡大図であり、（ａ）は導入口から導入された遊技球が送出片まで送られた状態、（ｂ）は遊技球が発射装置で発射された状態である
【図３２】遊技球の上側に糸が引き込まれた状態で、この糸が感圧検出部（接触子）で接触が検出される状態を示す拡大図であり、（ａ）は導入口から導入された遊技球が送出片まで送られた状態、（ｂ）は遊技球が発射装置で発射された状態である。
【図３３】検出部の変形例を示し、（ａ）は正面図、（ｂ）は側面図である。
【００１１】
以下、本発明の好ましい実施の形態を図面を参照して説明する。
図１は本発明のパチンコ機１０の遊技機主部２１と外枠１１とが嵌合した状態を示す斜視図である。図２及び図３はパチンコ機１０の主要な構成を展開して示す斜視図である。図４はパチンコ機１０の背面図である。なお、図２では便宜上パチンコ機１０の遊技領域内の構成を省略している。
パチンコ機１０は、当該パチンコ機１０の外殻を形成する外枠１１と、この外枠１１に対して前方に回動可能に取り付けられた遊技機主部２１とを有する。
【００１２】
＜遊技機１０の全体構成＞
外枠１１は、図1及び図４に示すように、板材１２〜１５を四辺に連結し構成されるものであって矩形枠状をなしている。外枠１１を構成する板材１２〜１５は、左右の板材１２，１３がアルミなどの金属製となっており、上下の板材１４，１５が木製となっている。パチンコ機１０は、外枠１１の上下の板材１４，１５を島設備に取り付け固定することにより、遊技ホールに設置される。
【００１３】
上記のように左右の板材１２，１３を金属製とすると共に上下の板材１４，１５を木製とすることで、島設備への固定を可能としつつ外枠１１の補強を行うことができる。なお、外枠１１の構成は上記のものに限定されることはなく、全ての板材１２〜１５を木製としてもよく、全ての板材１２〜１５を金属製としてもよい。また、板材１２〜１５の全部又は一部を合成樹脂製としてもよい。
【００１４】
外枠１１の左側の板材１２には、その上下の各端部に支持金具１７，１８が取り付けられている。これら支持金具１７，１８に支持させるようにして、図２及び図３に示すように、遊技機主部２１が外枠１１に対して回動可能に取り付けられている。本発明は、これら支持金具１７，１８に遊技機主部２１を着脱自在に取り付ける構造になる。
【００１５】
遊技機主部２１は、図２及び図３に示すように、遊技機ベースユニット（本体枠又は内枠）２２と、その遊技機ベースユニット２２の前方に配置される遊技機前面ユニット（前面扉又は前枠）２３と、遊技機ベースユニット２２の後方に配置される裏パックユニット２４とを備えている。遊技機主部２１のうち遊技機ベースユニット２２が外枠１１に対して回動可能に支持されている。詳細には、正面視で左側を回動基端（開閉基端）側とし右側を回動先端（開閉先端）側として遊技機ベースユニット２２が前方へ回動可能（開閉可能）とされている。
【００１６】
遊技機ベースユニット２２は、外枠１１の開口全体を覆う大きさを有しており、その背面側であって回動先端側には施錠装置３１が取り付けられている。施錠装置３１は長尺状の連動杆３２を備えており、当該連動杆３２には上下一対の鉤金具３３が設けられている。外枠１１に対して遊技機ベースユニット２２を閉鎖した際には、鉤金具３３が外枠１１の右側の板材１３に設けられた受け金具３４に係止され、施錠装置３１により施錠状態とされるようになっている。また、遊技機ベースユニット２２にはシリンダ錠３５（図１参照）が設けられており、シリンダ錠３５の操作によって連動杆３２を上方向又は下方向のうち予め定められた方向に移動させると、外枠１１に対する遊技機ベースユニット２２の施錠状態が解除される。
【００１７】
遊技機ベースユニット２２には、図２に示すように、遊技機前面ユニット２３が回動可能に支持されており、正面視で左側を回動基端（開閉基端）側とし右側を回動先端（開閉先端）側として前方へ回動可能（開閉可能）とされている。また、遊技機ベースユニット２２には、図３に示すように、裏パックユニット２４が回動可能に支持されており、正面視で左側を回動基端（開閉基端）側とし右側を回動先端（開閉先端）側として後方へ回動可能（開閉可能）とされている。
【００１８】
次に、遊技機ベースユニット２２、遊技機前面ユニット２３及び裏パックユニット２４のそれぞれについて詳細に説明する。
＜遊技機ベースユニット２２＞
図５は遊技機ベースユニット２２の正面図である。図６は遊技機ベースユニット２２に搭載された遊技盤６１の正面図である。図７は遊技機ベースユニット２２の背面図である。なお、図５では便宜上パチンコ機１０の遊技領域内の構成を省略している。
先ず、遊技機ベースユニット２２の構成について詳細に説明する。
遊技機ベースユニット２２は、図５に示すように、外形が外枠１１とほぼ同一形状をなす樹脂ベース４１を主体に構成されている。樹脂ベース４１の中央部には略楕円形状の窓孔５１が形成されている。樹脂ベース４１にはその後方から遊技盤６１が着脱可能に取り付けられている。詳細には、樹脂ベース４１の裏面には、図７に示すように、複数（本実施の形態では４箇所）の固定金具５２〜５５が設けられており、これら固定金具５２〜５５によって遊技盤６１は後方へ脱落しないように固定されている。固定金具５２〜５５は手動で回動操作することができ、固定位置（ロック位置）と固定解除位置（アンロック位置）とに切り換えることができるよう構成されている。
【００１９】
図５に示すように、樹脂ベース４１における窓孔５１の下方には、遊技球発射機構８０が取り付けられている。遊技球発射機構８０は、例えば電磁式のソレノイドから成る発射装置８００１と、発射レール８００２と、球送り機構８００３とから成り、発射装置８００１への電気的な信号の入力により発射装置８００１の出力軸（プランジャ８００６）が発射方向に移動し、球送り機構８００３によって発射レール８００２上に置かれた遊技球を遊技領域（遊技盤６１）に向けて打ち出す。発射装置８００１への電気的な信号の入力は、遊技機前面ユニット２３の下部に設けられた遊技球発射ハンドル８４（図１等参照）が操作されることに基づいて発生する。
【００２０】
次に遊技機ベースユニット２２に搭載される遊技盤６１について説明する。
遊技盤６１は合板より成り、遊技盤６１の前面に形成された遊技領域が樹脂ベース４１の窓孔５１を通じて遊技機ベースユニット２２の前面側に露出した状態となっている。
【００２１】
図６に示すように、遊技盤６１には、ルータ加工が施されることによって前後方向に貫通する大小複数の開口部が形成され、各開口部には一般入賞口６２、可変入賞装置６３、上作動口６４、下作動口６５、スルーゲート６６、可変表示ユニット６７及びアウト口６８等がそれぞれ設けられている。このうち、可変入賞装置６３、上作動口６４、下作動口６５、可変表示ユニット６７及びアウト口６８は、遊技盤６１の左右方向の中央において上下方向に並べて設けられており、上から可変表示ユニット６７、上作動口６４、下作動口６５及びアウト口６８の順となっている。また、一般入賞口６２は、遊技盤６１の下部において、左側に３個及び右側に１個の合計４個設けられている。ちなみに、遊技盤６１の左側は遊技機前面ユニット２３の回動基端側に相当し、遊技盤６１の右側は遊技機前面ユニット２３の回動先端側に相当する。
【００２２】
一般入賞口６２、可変入賞装置６３、上作動口６４及び下作動口６５に遊技球が入球すると、それが検知スイッチにより検知され、その検知結果に基づいて所定数の賞球の払い出しが実行される。具体的には、一般入賞口６２に一の遊技球が入球すると単位遊技球数として１０個の遊技球が払い出され、可変入賞装置６３に一の遊技球が入球すると単位遊技球数として１５個の遊技球が払い出され、上作動口６４に一の遊技球が入球すると単位遊技球数として３個の遊技球が払い出され、下作動口６５に一の遊技球が入球すると単位遊技球数として４個の遊技球が払い出される。
【００２３】
各種入賞口等に入らなかった遊技球は、後述する内レール部７７によって集められ、内レール部７７の最下部に設けられたアウト口６８を通って遊技領域から排出される。その他に、遊技盤６１には、遊技球の落下方向を適宜分散、調整等するために多数の釘６９が植設されていると共に、風車等の各種部材（役物）や内レール部７７および外レール部７８が配設されている。
【００２４】
可変表示ユニット６７は、遊技盤６１の略中央部上方に形成された略円形の開口部に取り付けられる図柄表示装置７１と、開口部の周縁に図柄表示装置７１を囲むようにして配設されたセンターフレーム７２を備えている。
図柄表示装置７１は、液晶ディスプレイを備えた液晶表示装置であり、後述する表示制御装置１０１により、いずれかの作動口６４，６５への入賞をトリガとして図柄を可変表示するように制御されている。図柄表示装置７１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。なお、図柄表示装置７１は、ＣＲＴ，ドットマトリックス，７セグメント等その他のタイプにより表示画面を構成したものであってもよい。
【００２５】
また、センターフレーム７２の上部には、第１特定ランプ部７３及び第２特定ランプ部７４が、センターフレーム７２の上部及び下部には保留ランプ部７５，７６がそれぞれ設けられている。下側の保留ランプ部７５は、図柄表示装置７１及び第１特定ランプ部７３に対応しており、遊技球が作動口６４，６５を通過した回数は最大４回まで保留され、保留ランプ部７５の点灯によってその保留個数が表示されるようになっている。上側の保留ランプ部７６は、第２特定ランプ部７４に対応しており、遊技球がスルーゲート６６を通過した回数は最大４回まで保留され、保留ランプ部７６の点灯によってその保留個数が表示されるようになっている。
【００２６】
第１特定ランプ部７３では、上作動口６４への入賞をトリガとして所定の順序で発光色の切り替えが行われ、予め定められた色で停止表示された場合には大当たりが発生する。また、第２特定ランプ部７４では、遊技球のスルーゲート６６の通過をトリガとして所定の順序で発光色の切り替えが行われ、予め定められた色で停止表示された場合には下作動口６５に付随する電動役物６５ａが所定時間だけ開放状態となる。
【００２７】
ちなみに、下作動口６５は、開閉手段としての電動役物６５ａが開放状態の場合に入球が可能となり、閉鎖状態の場合に入球が不可となる。なお、これに限定されることはなく、電動役物６５ａが開放状態の場合に入球し易くなり、閉鎖状態の場合に入球しがたくなる構成としてもよい。
【００２８】
可変入賞装置６３は、開閉手段としての開閉扉６３ａが通常は遊技球が入球できない又は入球しがたい閉鎖状態になっており、大当たりの際に遊技球が入球しやすい所定の開放状態に切り換えられるようになっている。可変入賞装置６３の開放態様としては、所定時間（例えば３０秒間）の経過又は所定個数（例えば１０個）の入賞を１ラウンドとして、複数ラウンド（例えば１５ラウンド）を上限として可変入賞装置６３が繰り返し開放されるものが一般的である。
【００２９】
遊技盤６１の周縁部分には、略円弧状の内レール部７７と外レール部７８とが取り付けられており、これら内レール部７７と外レール部７８とにより誘導レールが構成され、上述した遊技球発射機構８０から発射された遊技球が遊技領域の上部に案内されるようになっている。また、図５に示すように、樹脂ベース４１の窓孔５１の右上部には返しゴム７９が設けられており、所定以上の勢いで発射された遊技球は返しゴム７９に当たり、遊技領域の中央寄りに跳ね返されるようになっている。この場合、返しゴム７９はその遊技球が当たる面が遊技領域の中央側に向けて傾斜させて形成されているため、遊技領域の中央に向けた遊技球の跳ね返しが良好に行われるようになっている。
【００３０】
遊技機ベースユニット２２が遊技機前面ユニット２３を支持する機構について、図５等に基づいて説明する。
遊技機ベースユニット２２の樹脂ベース４１の前面における回動基端側には、その上端部及び下端部に支持金具４２，４３が取り付けられている。これら支持金具４２，４３に対して遊技機前面ユニット２３が支持されていることで当該遊技機前面ユニット２３が遊技機ベースユニット２２に対して前方に回動可能となっている。また、樹脂ベース４１の前面における回動先端側には、遊技機前面ユニット２３の背面に設けられた鉤金具４４（図２参照）を挿入するための挿入孔４５が上下方向に離間させて複数設けられている。遊技機ベースユニット２２に対して遊技機前面ユニット２３を閉鎖した状態では、遊技機前面ユニット２３の鉤金具４４が挿入孔４５内に入り込み、当該鉤金具４４は上述した施錠装置３１（図３参照）に係止される。これにより、遊技機ベースユニット２２に対して遊技機前面ユニット２３が施錠された状態となる。この施錠状態はシリンダ錠３５の操作によって施錠装置３１の連動杆３２を、外枠１１に対する遊技機ベースユニット２２の解錠を行う場合とは反対側に移動させることで解除される。。
【００３１】
次に、遊技機ベースユニット２２の背面構成について図７を用いて詳細に説明する。
樹脂ベース４１の背面における回動先端側には既に説明した施錠装置３１が設けられている。また、樹脂ベース４１の中央には上記のとおり遊技盤６１が取り付けられている。
【００３２】
遊技盤６１の中央に配置された可変表示ユニット６７（図６参照）には、図３及び図７に示すように、センターフレーム７２（図６参照）を後方から覆う合成樹脂製のフレームカバー１００が後方に突出させて設けられており、フレームカバー１００に対して後側から上述した図柄表示装置７１が取り付けられていると共に、その図柄表示装置７１を駆動するための表示制御装置１０１が取り付けられている。これら図柄表示装置７１及び表示制御装置１０１は前後方向に重ねて配置され（図柄表示装置７１が前、表示制御装置１０１が後）、さらにその後方に音声ランプ制御装置ユニット１０２が搭載されている。音声ランプ制御装置ユニット１０２は、音声ランプ制御装置１０３と、取付台１０４とを具備する構成となっており、取付台１０４上に音声ランプ制御装置１０３が装着されている。
【００３３】
音声ランプ制御装置１０３は、後述する主制御装置からの指示に従い音声やランプ表示、及び表示制御装置の制御を司る音声ランプ制御基板を具備しており、音声ランプ制御基板が透明樹脂材料等よりなる基板ボックスに収容されて構成されている。
【００３４】
遊技盤６１の背面であって可変表示ユニット６７の下方には、主制御装置ユニット１０５が搭載されている。主制御装置ユニット１０５は、合成樹脂製の取付台１０６を有し、取付台１０６に主制御装置１０７が搭載されている。主制御装置１０７は、遊技の主たる制御を司る機能（主制御回路）と、電源を監視する機能（停電監視回路）とを有する主制御基板を具備しており、当該主制御基板が透明樹脂材料等よりなる第１基板ボックス１０８に収容されて構成されている。なお、当該基板ボックス１０８には、後述するように当該基板ボックスの開放痕跡手段としてかしめ部材や封印シールが設けられていると共に、取付台１０６に対する主制御装置１０７の離脱痕跡手段としてかしめ部材が設けられている。なお、ここで基板ボックス（第１基板ボックス）１０８と称しているが、後述するように基板ボックス１４８，１４９が複数存在するので、それぞれ区別するために便宜的に用いた。その順番以外に何ら意味合いを持つものではない。
【００３５】
遊技盤６１の背面における主制御装置ユニット１０５により覆われた領域には、図示しない集合板ユニットが設けられている。集合板ユニットには、各種入賞口に入賞した遊技球を回収するための遊技球回収機構や、各種入賞口等への遊技球の入賞を検知するための入賞検知センサなどが設けられている。遊技球回収機構にて回収された遊技球は後述する排出通路を介してパチンコ機１０外部に排出される。また、入賞検知センサは主制御装置１０７と電気的に接続されており、遊技球の入賞を検知した場合の検知信号は主制御装置１０７にて入力される。
【００３６】
遊技機ベースユニット２２が裏パックユニット２４を支持する機構について説明する。
樹脂ベース４１の背面における回動基端側（図７の右側）には、軸受け金具１１１，１１２，１１３が取り付けられている。軸受け金具１１１〜１１３は上下に離間させて３個設けられている。なお、軸受け金具１１１〜１１３の数は任意であり、２個であってもよく、４個以上であってもよい。遊技機ベースユニット２２には、図３に示すように、これら軸受け金具１１１〜１１３に対して軸支させて裏パックユニット２４が取り付けられている。裏パックユニット２４により、可変表示ユニット６７の全部及び主制御装置ユニット１０５の一部が後方から覆われており、裏パックユニット２４を開放させない限り可変表示ユニット６７及び主制御装置ユニット１０５を樹脂ベース４１から取り外すことができないようになっている。
【００３７】
樹脂ベース４１の背面には、図３及び図７に示すように、裏パックユニット２４を遊技機ベースユニット２２に固定するための固定金具１１５が設けられている。固定金具１１５は手動で回動操作することができ、固定位置（ロック位置）と固定解除位置（アンロック位置）とに切り換えることができるよう構成されている。また、図７に示すように、樹脂ベース４１の背面には締結孔部１１６が形成されており、当該締結孔部１１６に対して裏パックユニット２４に設けられた後述する締結具１１７（図９参照）を締結させることによっても裏パックユニット２４が遊技機ベースユニット２２に固定される。
【００３８】
＜遊技機前面ユニット２３＞
遊技機前面ユニット２３の構成について図１に基づいて説明する。
遊技機前面ユニット２３は遊技機ベースユニット２２の前面側全体を覆うようにして設けられている。遊技機前面ユニット２３には、上記遊技領域のほぼ全域を前方から視認することができるようにした略楕円形状の窓パネル部９１が設けられている。窓パネル部９１の周囲には、各種ランプ等の発光手段が設けられている。例えば、窓パネル部９１の周縁に沿ってＬＥＤ等の発光手段を内蔵した環状電飾部９２が設けられている。環状電飾部９２では、大当たり時や所定のリーチ時等における遊技状態の変化に応じて点灯や点滅が行われる。また、環状電飾部９２の中央であってパチンコ機１０の最上部には所定のエラー時に点灯するエラー表示ランプ部９３が設けられている。また、窓パネル部９１の左上方及び右上方には、遊技状態に応じた効果音などが出力されるスピーカ部９４が設けられている。
【００３９】
遊技機前面ユニット２３には、窓パネル部９１の下方に、手前側へ膨出した第１膨出部９５と第２膨出部９６とが上下に並設されている。
第１膨出部９５内側には、上方に開口した上皿９５ａが設けられている。上皿９５ａは、第１払出口２３１より払い出された遊技球を一旦貯留し、一列に整列させながら下流側（本実施の形態では右側）の遊技球発射機構８０へ導く機能を有する球受皿である。
【００４０】
第１膨出部９５の上面右側（上皿９５ａの下流側）には、奥側に上皿球抜きスイッチ２３２が、手前側に貸球操作部２３３がそれぞれ配設されている。上皿球抜きスイッチ２３２は、上皿９５ａに貯留された遊技球を排出するために操作されるものである。
【００４１】
貸球操作部２３３には、球貸しボタン２３４と、返却ボタン２３５とが設けられている。球貸しボタン２３４は、カード等（記録媒体）に記録された情報に基づいて貸出球を得るために操作されるものであり、カード等に残額が存在する限りにおいて貸出球が払い出される。返却ボタン２３５は、カードユニットに挿入されたカード等の返却を求める際に操作される。なお、球貸しボタン２３４及び返却ボタン２３５とからなる貸球操作部２３３は、第１膨出部９５の上方にも設けられている。
【００４２】
また、球貸しボタン２３４と返却ボタン２３５との間に、遊技者により操作可能なプッシュ式の演出スイッチ２３６が設けられている。演出スイッチ２３６には図示しないランプが内蔵されており、選択操作が有効とされる状況下ではランプが点灯表示され、選択操作が無効とされる状況下ではランプが消灯表示されるようになっている。そして、当該ランプが点灯表示されている状況下で演出スイッチ２３６を操作された場合、後述する図柄表示装置７１の表示モードが変更されるようになっている。
【００４３】
第１膨出部９５と同様に、第１膨出部９５の下方に手前側へ膨出するように設けられている第２膨出部９６内側にも、上方に開口した下皿９６ａが設けられている。下皿９６ａは、第２払出口２３７より払い出された遊技球を一旦貯留するための球受皿である。下皿９６ａには、例えば、上皿９５ａにて遊技球が余剰となった場合には、下皿球抜きスイッチ２３３が操作され、上皿９５ａに貯留された遊技球が第２払出口２３７より排出されるようになっている。
【００４４】
第２膨出部９６前面側には、下皿９６ａに貯留された遊技球を下方に排出するための上球抜きスイッチ２３８が設けられている。また、第２膨出部９６の右方には、手前側へ突出するようにして遊技球発射ハンドル８４が設けられている。遊技球発射ハンドル８４は、板材１２の背面側に設けられた遊技球発射機構８０（図５参照）に連結されており、上皿９５ａに貯留された遊技球は、遊技者が遊技球発射ハンドル８４を回転させることにより、遊技盤６１に形成された遊技領域に向けて発射される。
【００４５】
図８は遊技機前面ユニット２３の背面図である。
遊技機前面ユニット２３の背面における回動基端側（図８の右側）には、その上端部及び下端部に突起軸９７，９８が設けられている。これら突起軸９７，９８は遊技機ベースユニット２２に対する組付機構を構成する。また、遊技機前面ユニット２３の背面における回動先端側（図８の左側）には、上述した鉤金具４４が上下方向に複数並設されている。
【００４６】
また、遊技機前面ユニット２３の背面には、図８に示すように、前面側通路ユニット２７１が取り付けられている。前面側通路ユニット２７１は、合成樹脂により成形されており、上皿９５ａに通じる前扉側上皿通路と、下皿９６ａに通じる前扉側下皿通路とが形成されている。
【００４７】
＜裏パックユニット２４＞
裏パックユニット２４の構成について詳細に説明する。
図９は裏パックユニット２４の正面図である。図１０は裏パックユニット２４の分解斜視図である。
裏パックユニット２４は、当該裏パックユニット２４の上部及び中央部分を構成する第１裏パックユニット１２１と、当該第１裏パックユニット１２１に連続させて設けられ裏パックユニット２４の下部を構成する第２裏パックユニット１４１とを備えている。第１裏パックユニット１２１にはその下部に開口部１２２が形成されており、第２裏パックユニット１４１の上部は当該開口部１２２の下縁部分を構成している。
【００４８】
第１裏パックユニット１２１と第２裏パックユニット１４１には、図９に示すように、それぞれ軸金具１２３，１３９が設けられており、それら軸金具１２３，１３９はそれぞれ個別に遊技機ベースユニット２２の軸受け金具１１１〜１１３（図７参照）に支持されている。これにより、第１裏パックユニット１２１と第２裏パックユニット１４１とは、遊技機ベースユニット２２に対してそれぞれ個別に回動可能となっている。
【００４９】
ここで、上記のとおり、第２裏パックユニット１４１はその上部が第１裏パックユニット１２１の開口部１２２の下縁部分を構成しており、当該下縁部分において、第１裏パックユニット１２１がパチンコ機１０前方となるようにして第１裏パックユニット１２１と第２裏パックユニット１４１とが前後に重なっている。したがって、第１裏パックユニット１２１を遊技機ベースユニット２２に対して閉鎖した状態で第２裏パックユニット１４１を開放させることはできるが、第２裏パックユニット１４１を閉鎖した状態で第１裏パックユニット１２１を開放させることはできない。なお、これに限定されることはなく、開閉の関係が第１裏パックユニット１２１と第２裏パックユニット１４１とで逆であってもよく、第１裏パックユニット１２１と第２裏パックユニット１４１とが相互に干渉することなく開閉可能な構成であってもよい。さらには、第１裏パックユニット１２１と第２裏パックユニット１４１とが一体化され個別に開閉できない構成としてもよい。
【００５０】
次に、第１裏パックユニット１２１の構成について詳細に説明する。
第１裏パックユニット１２１は、裏パック１２４を備えており、当該裏パック１２４に対して、払出機構部１２５が取り付けられている。裏パック１２４は透明性を有する合成樹脂により成形されており、払出機構部１２５などが取り付けられるベース部１２６と、パチンコ機１０後方に突出し略直方体形状をなす保護カバー部１２７とを有する。保護カバー部１２７は左右側面及び上面が閉鎖され且つ下面のみが開放された形状をなし、少なくとも可変表示ユニット６７を囲むのに十分な大きさを有する。
【００５１】
ベース部１２６には、その右上部に外部端子板１３１が設けられている。外部端子板１３１には各種の出力端子が設けられており、これらの出力端子を通じて遊技ホール側の管理制御装置に対して各種信号が出力される。また、ベース部１２６には上述した第１裏パックユニット１２１の軸金具１２３が設けられている。
【００５２】
ベース部１２６には、保護カバー部１２７を迂回するようにして払出機構部１２５が配設されている。払出機構部１２５は、タンク１３２と、タンクレール１３３と、上下通路ユニット１３４とを備えている。タンク１３２は上方に開放されており、裏パック１２４の最上部に設けられている。タンク１３２には遊技ホールの島設備から遊技球が逐次補給される。タンクレール１３３は、タンク１３２の下方において当該タンク１３２に連結されており、下流側に向けて緩やかに傾斜している。当該タンクレール１３３の下流部に連結させて上下通路ユニット１３４が設けられている。上下通路ユニット１３４は上下方向に延びており、その途中位置に払出装置１３５が設けられている。また、上下通路ユニット１３４の下流側には、球受け部、裏パック側通路部、本体側通路部及び前面側通路部が設けられており、前面側通路部は上皿９５ａ及び下皿９６ａに連通されている。
【００５３】
つまり、タンク１３２と、上皿９５ａ及び下皿９６ａの受け皿との間には、タンクレール１３３、上下通路ユニット１３４、球受け部、裏パック側通路部、本体側通路部及び前面側通路部からなる誘導通路部が設けられており、タンク１３２に貯留されている遊技球は当該誘導通路部を通じて上皿９５ａ又は下皿９６ａに払い出される。なお、上下通路ユニット１３４の構成、及びそれよりも下流側の構成については後に詳細に説明する。
【００５４】
払出機構部１２５には、裏パック基板１３６が設置されている。裏パック基板１３６には、例えば交流２４ボルトの主電源が供給され、電源スイッチ１３７の切替操作により電源ＯＮ又は電源ＯＦＦとされるようになっている。
【００５５】
次に、第２裏パックユニット１４１の構成について詳細に説明する。
第２裏パックユニット１４１は、排出通路盤１４２と制御装置集合ユニット１４３とを備えている。排出通路盤１４２は第２裏パックユニット１４１の前側を構成し、制御装置集合ユニット１４３は第２裏パックユニット１４１の後側を構成している。そして、これら排出通路盤１４２と制御装置集合ユニット１４３とが前後に組み付けられて第２裏パックユニット１４１が構成されている。
【００５６】
排出通路盤１４２は、制御装置集合ユニット１４３と対向する面に後方に開放された排出通路１４４が形成されており、当該排出通路１４４の開放部は制御装置集合ユニット１４３によって塞がれている。排出通路１４４は、遊技ホールの島設備等へ遊技球を排出するように形成されており、上述した各種入賞口等から排出通路１４４に導出された遊技球は当該排出通路１４４を通ることでパチンコ機１０外部に排出される。
【００５７】
制御装置集合ユニット１４３は、横長形状をなす取付台１４５を有し、取付台１４５に払出制御装置１４６と電源及び発射制御装置１４７とが搭載されている。これら払出制御装置１４６と電源及び発射制御装置１４７とは、払出制御装置１４６がパチンコ機１０後方となるように前後に重ねて配置されている。
【００５８】
払出制御装置１４６は、第２基板ボックス１４８内に払出装置１３５を制御する払出制御基板が収容されている。なお、払出制御装置１４６から払出装置１３５への払出指令の信号は上述した裏パック基板１３６により中継される。また、払出制御装置１４６には状態復帰スイッチ１４８ａが設けられている。例えば、払出装置１３５における球詰まり等、払出エラーの発生時において状態復帰スイッチ１４８ａが押されると、球詰まりの解消が図られるようになっている。
【００５９】
電源及び発射制御装置１４７は、第３基板ボックス１４９内に電源及び発射制御基板が収容されており、当該基板により、各種制御装置等で要する所定の電源が生成されて出力され、さらに遊技者による遊技球発射ハンドル８４の操作に伴う遊技球の打ち出しの制御が行われる。また、電源及び発射制御装置１４７にはＲＡＭ消去スイッチ１４９ａが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ１４９ａを押しながら電源を投入すると、ＲＡＭデータが初期化されるようになっている。
【実施例１】
【００６０】
＜遊技球発射機構８０の構造＞
図１１は実施例１の遊技球発射機構８０を示す斜視図である。図１２は実施例１の遊技球発射機構８０を示す正面図である。図１３は実施例１の遊技球発射機構８０を示す分解斜視図である。
遊技球発射機構８０は、主に電磁式のソレノイドから成る発射装置８００１と、発射レール８００２と、球送り機構８００３とから構成される。遊技球発射機構８０は、上述した樹脂ベース４１に固定されたベース部材としてのベース板８００４と、ベース板８００４に取り付けられた発射装置８００１と、発射装置８００１の先端側において、発射装置８００１の長手方向に平行に延びるようにしてベース板８００４に取り付けられた断面略Ｍ字状をなすレール部材としての発射レール８００２と、発射レール８００２の基端部に１球ずつ遊技球を誘導案内するべくベース板８００４に取り付けられた球送り機構８００３と、発射レール８００２の基端部（図の右端部）上に載置される遊技球を支持して位置決めをするベース板８００４に取り付けられた位置決め部材８００５（図１３等参照）とを備えている。
【００６１】
図５に示したように、内枠２２（樹脂ベース４１）の前面側に、ベース板８００４を取着するための略平面状の取付部２２０１が形成されている。一方、ベース板８００４は、金属製素材（例えば亜鉛合金など）により略平板状に形成されており、この取付部２２０１において上下方向に沿って配設されている。
【００６２】
ベース板８００４は、図５に示したように、その下端部の背面側が少なくとも遊技球発射ハンドル８４の軸心位置より下方位置において取付部２２０１に当接した状態で配設されている。なお、下端部が軸心位置とほぼ同じ高さ位置となった構成としてもよい。また、パチンコ機１０の左右方向に対して、ベース板８００４の右端部が、遊技領域（遊技盤６１）の右端部と略同一位置となるよう配設されている。
【００６３】
一方、ベース板８００４の左端部（発射レール８００２の先端部近傍部分）は、後述する発射レール８００２の配設位置に合わせるように、遊技領域（遊技盤６１）の左右方向の中央位置（アウト口６８の位置）を越える位置となっている。さらに、ベース板８００４の上端部（発射レール８００２の先端部近傍部分）は、遊技盤６１の下端部近傍に位置している。
【００６４】
また、ベース板８００４は、複数の締結部材としてのねじ等により、内枠２２（樹脂ベース４１）の前面側に固定されるよう構成されている。ベース板８００４には、各締結位置においてねじが挿通される挿通孔が形成されている。本実施例では、図５等からも明らかなように、少なくとも１つの挿通孔の位置、すなわちねじ等による少なくとも１つの締結位置が下皿９６ａに相対する内枠２２の前面側下部にあり、さらに、そのうちの少なくとも１つの締結位置が、遊技球発射ハンドル８４の軸心位置より下方位置、かつ、発射装置８００１の組付け位置より下方位置にある。
【００６５】
＜発射レール８００２の構造＞
発射レール８００２は、発射装置８００１より発射された直後に遊技球を遊技領域（遊技盤６１）へ案内するためのものであって、所定の発射角度（打ち出し角度）となるよう直線的に延びている。遊技球発射ハンドル８４の回動操作に伴い発射された遊技球は、まずは発射レール８００２に沿って斜め上方に打ち出され、その後前述した通り誘導レール（内レール部７７と外レール部７８）の球案内通路を通じて所定の遊技領域（遊技盤６１）に案内されるようになっている。
【００６６】
パチンコ機１０における遊技領域（遊技盤６１）が、例えば従来のものよりも大幅に拡張されるときは、誘導レールの曲率を小さくする必要があり、打出球を安定化させるための工夫を要する。そのときは、遊技球の発射位置を低くするとともに発射レール８００２の傾斜角度（発射角度）を既存のものよりも幾分大きくし（すなわち発射レール８００２を立ち上げるようにし）、さらに発射レール８００２の長さを既存のものよりも長くして十分な長さの球誘導距離を確保するようにする。これにより、発射装置８００１から発射された遊技球をより安定した状態で誘導レール（内レール部７７と外レール部７８）に案内できる。この場合特に、発射レール８００２を、発射装置８００１による発射位置から遊技領域の左右方向の中央位置（アウト口６８の位置）を越える位置まで延びるよう形成する。
【００６７】
＜発射装置８００１の構造＞
本実施例では、発射装置８００１として、リニアソレノイドをケース部材８００１ａに収容した１ユニットのソレノイド式発射装置を採用している。すなわち、発射装置８００１は、発射レール８００２と平行に延びるプランジャ８００６（軸部材）を具備している。勿論、ソレノイド式発射装置８００１に代えて、従来一般的に採用されていたモータ及び発射槌の組み合わせでも良い。
【００６８】
このプランジャ８００６の先端には、遊技球を打撃する打部８００７が装着されている。打部８００７を構成する素材として、本実施例では、ポリエステル系熱可塑性エラストマーが採用されている。このような発射装置８００１が所定時間毎に励磁・非励磁が繰り返し行われ、これにより、プランジャ８００６の出没が繰り返される。プランジャ８００６が突出する際に、所定位置に位置決めされた遊技球Ｂが発射レール８００２から発射される。なお、遊技球発射ハンドル８４の操作量に基づき、プランジャ８００６の突出速度が適宜調整され（ストローク量はほぼ一定）、これにより、遊技球の発射速度ひいては飛翔量が調整されるようになっている。
【００６９】
なお、発射装置８００１は、ベース板８００４に立設された一対のボス・ボルト８００８に対して、締結部材としてのネジやナット８００９により固定されている。発射装置８００１には、このようなボス・ボルト８００８に対応するように、ネジ・ボルト８００８が挿通される孔部を有した被締結部８０１０が形成されている。本実施例では、発射装置８００１の下側において、ナット８００９の締め具合を適宜調整すること（ボルト８００８の突出量を調整すること）で、ベース板８００４に対する発射装置８００１の取付けられる高さ（突出量）、ひいては、プランジャ８００６の先端位置、つまり遊技球の打点を調整することができるようになっている。また、発射装置８００１は、その全体がベース板８００４の外周縁より内側に配置されている。
【００７０】
＜位置決め部材８００５の構造＞
位置決め部材８００５は、発射レール８００２の基端部上に載置される遊技球Ｂを支持して位置決めするためのものであって、略直方体形状をなす。位置決め部材８００５には、上下方向に貫通するねじ孔が形成されているとともに、ベース板８００４の所定位置にもねじ孔が形成されている。そして、両ねじ孔同士が位置合わせされた状態で、ねじが螺着されることで、位置決め部材８００５が取り付けられている。
【００７１】
本実施例では、位置決め部材８００５は、正面視で略逆台形状を有している。この位置決め部材８００５は固定しているねじを緩め適宜回動させた上で、ねじを螺着させることで、位置決め部材８００５の側面と、発射レール８００２の基端部との距離が微妙に変更可能となっている。つまり、位置決め部材８００５を回動調整することで、遊技球の支持位置、ひいては、遊技球発射直前の停止位置を微調整することができるようになっている。なお、この位置決め部材８００５は正面視で略逆台形の直方体形状に限定されず、遊技球Ｂの発射方向を微調整できる形状であればこの形状に限定されない。
【００７２】
＜球送り機構８００３の構造＞
図１４は球送り機構８００３を示し、（ａ）は球送り機構８００３の開閉部８０１２の正面図、（ｂ）は球送り機構８００３の開閉部８０１２の背面図である。
球送り機構８００３は、上皿９５ａ側から案内されてくる遊技球Ｂを１球ずつ、発射レール８００２の基端部（発射位置）に案内するためのものであり、発射装置８００１の上部を被覆するようにしてベース板８００４に固定された樹脂製の台座部８０１１を介してベース板８００４に取り付けられる（図１３等参照）。
【００７３】
球送り機構８００３は、台座部８０１１の前面側に形成された略平面状の取付部に着脱可能に取付けられる樹脂製のケース部材としての開閉部８０１２を備え、この開閉部８０１２に遊技球Ｂを送る機構が収容され一組化された構成となっている。なお、本実施例では、台座部８０１１及び開閉部８０１２は、透明又は半透明部材であって、透明又は半透明の合成樹脂により形成されている。このため、開閉部８０１２の外部から、内部に収容された球送りの機構を視認できる。このため、球送り機構８００３に何らかの不具合が発生した場合などにおいても、開閉部８０１２を取り外すことなく、その状態を認識できる。
【００７４】
なお、開閉部８０１２には上下一対の軸部８０１３が設けられ、台座部８０１１には軸部８０１３が差し込まれる上下一対の軸受部８０１４が設けられており、これにより、開閉部８０１２は台座部８０１１の一側（図の右側）にて開閉可能に軸支されている。また、軸部８０１３が軸受部８０１４に対して着脱可能となっている。つまり、開閉部８０１２が台座部８０１１に着脱可能となっている。
【００７５】
また、開閉部８０１２の軸部８０１３とは反対側には前方（台座部８０１１側）へ突出する係止爪８０１５が一体形成されている。台座部８０１１には、この係止爪８０１５を受ける係止孔８０１６が形成されている。常には、開閉部８０１２は台座部８０１１と閉状態となっているとともに、この閉状態で係止爪８０１５は操作可能となっている。つまり、開閉部８０１２が閉鎖されると、係止孔８０１６に係止爪８０１５が必然的に係止されることとなり、これにより、閉状態が維持されるようになっている。
【００７６】
図１５は導入口８０１７に送られた遊技球Ｂが送出片８０１９により１球ずつ発射レール８００２に落とされる状態の球送り機構８００３の開閉部８０１２を示す拡大正面図である。なお、図１５と後述する図１９、図２０は、開閉部８０１２を開けた拡大図であり、球送り機構８００３の内部を裏面から見た状態を示しているので、遊技球Ｂの動作状態は左右と前後が逆の動作になっている。
図１３等に示すように、開閉部８０１２は、少なくとも一部が少なくとも遊技球Ｂの発射位置（位置決め部材８００５によって遊技球Ｂが停止される位置）に対応した発射レール８００２の一区間に沿って配設されるよう組み付けられている。これにより、発射位置において、開閉部８０１２が発射レール８００２を挟んでベース板８００４と対向するよう組付けられた状態となるため、発射位置に置かれる遊技球Ｂの発射レール８００２からのこぼれ落ちを規制し、遊技球Ｂを所定の発射位置に維持することができる。結果として、部品点数を増やすことなく遊技球Ｂのこぼれ落ちを規制し、遊技球Ｂに対して発射装置８００１の打部８００７をより確実に当打させることができる。また、開閉部８０１２を取り外すことなく、透明（半透明）の開閉部８０１２を透して、発射レール８００２上の遊技球Ｂを視認することも可能となり、発射レール８００２上に遊技球Ｂが複数並んで置かれているなどの不具合を認識することができる。
【００７７】
開閉部８０１２の前部には、上皿９５ａから案内されてくる遊技球Ｂを導入する導入口８０１７が設けられており、この導入口８０１７から遊技球Ｂが下方へと導入される。なお、開閉部８０１２の内部空間内には、遊技球Ｂを１球ずつ送り出すための電磁石８０１８及び送出片８０１９が設けられている。開閉部８０１２の上部（天井）には遊技球Ｂの導入を規制するための位置決め凸条８０１７ａが進入方向と平行に形成されている。
【００７８】
送出片８０１９は、その一端のコーナー部分（軸支部８０１９ａ）が、開閉部８０１２に対し回動可能に軸支されており、軸支部８０１９ａとは反対側において、遊技球Ｂを１個だけ収容可能に凹設されたホルダ部８０１９ｂを具備している。また、ホルダ部８０１９ｂと軸支部８０１９ａとを結ぶ上辺部分には、電磁石８０１８に対向するようにして磁性金属よりなる金属片８０１９ｃが取り付けられている。
【００７９】
このような構成により、電磁石８０１８がオン状態とされた場合には、送出片８０１９の金属片８０１９ｃがこの電磁石８０１８に吸引され、送出片８０１９が上方へ回動する。これにより、導入口８０１７から導入された遊技球Ｂがホルダ部８０１９ｂに収容され、この遊技球Ｂの下方への流動が規制される。一方、電磁石８０１８がオフ状態とされた場合には、送出片８０１９が重力によって下方へ回動し、ホルダ部８０１９ｂに収容されていた遊技球Ｂが下方へと流下し、発射レール８００２の基端部へと案内される。
【００８０】
なお、電磁石８０１８がオフ状態とされた場合には、送出片８０１９の上部によって次の遊技球Ｂのホルダ部８０１９ｂへの流下が規制されている。従って、電磁石８０１８のオン・オフ動作が繰り返し実行されることで、遊技球Ｂが１球ずつ発射起点位置（所定位置）へと案内されることとなる。なお、電磁石８０１８のオン・オフと、発射装置８００１（ソレノイド）の励磁・非励磁とが同期させられるよう構成されている。
【００８１】
＜切断部材８０２１の構造＞  
図１６は切断部材８０２１の拡大図を示し、（ａ）は左側面図、（ｂ）は正面図、（ｃ）は右側面図、（ｄ）は背面図、（ｅ）は平面図、（ｆ）は底面図である。図１７は導入口８０１７における遊技球Ｂの動作状態を示し、（ａ）は拡大正面図、（ｂ）は拡大右側面図である。図１８は導入口８０１７における遊技球Ｂの動作状態の拡大平断面図であり、（ａ）は導入口８０１７の上部位置、（ｂ）は導入口８０１７の中部位置、（ｃ）は導入口８０１７の下部位置を示す。
実施例１の球送り機構８００３には、その開閉部８０１２の導入口８０１７から遊技球Ｂを内部に導く誘導路８０１７ｂの近傍に切断部材８０２１が取り付けられている。この切断部材８０２１は、遊技球Ｂに取り付けられた糸Ｓを切断する部材である。この切断部材８０２１は、導入口８０１７から連続する誘導路８０１７ｂの近傍であって、発射レール８００２に遊技球Ｂが落ちる位置の近傍に取り付けられている。
【００８２】
実施例１の切断部材８０２１は、糸Ｓを捉えやすいように横向きのＶ字形状になる刃部８０２２を備えている。実施例１の切断部材８０２１は、通常の直線状の切断刃ではなく、横向きのＶ字形状の刃部８０２２にしている。このように構成した刃部８０２２は、糸Ｓを当てて容易に切断できるだけなく、糸Ｓが刃部８０２２に入りやすくなる。例えば、糸Ｓが緩んでいると、刃部８０２２に当たっていても切断されないことがある。そこで、遊技球Ｂが発射レール８００２の発射方向側へ発射され、同時に糸Ｓが引っ張られたときに、この横向きのＶ字形状の刃部８０２２であれば、この糸Ｓを捉えやすくなる。その結果切断が確実になる。
【００８３】
また、この切断部材８０２１の刃部８０２２は、横向きのＶ字形状になると共に、その谷位置から横方向に切り込み（隙間８０２３）を設け、刃部８０２２の上側部と下側部とを厚み方向にずらしている。このように、Ｖ字形状の刃部８０２２の谷位置から連続して隙間８０２３が形成されていると、遊技球Ｂと同時に引っ張られる糸Ｓを容易に捉えることができる。この切断部材８０２１で糸Ｓを切断できなくても、この上側部と下側部との隙間８０２３に糸Ｓを捉えることでも不正の発見に寄与できる。この切断部材８０２１には、更に開閉部９０１２にネジ止めするネジ孔８０２４が開けられている。切断部材８０２１の交換を容易に実施するためである。
【００８４】
遊技球Ｂに取り付けられた糸Ｓは、常にこの切断部材８０２１の刃部８０２２に位置するように、遊技球Ｂが導入口８０１７から導かれた誘導路８０１７ｂの位置で落下し、発射レール８００２上の発射位置に導入されるとは限らない。例えば、遊技球Ｂの上部に釣り糸Ｓが取り付けられ、そのまま発射レール８００２上まで遊技球Ｂが落下すると、糸Ｓが緩んだ状態で遊技球Ｂが発射されることがある。この場合では、釣り糸Ｓを切断部材８０２１の刃部８０２２に当てても切断できない場合があった。そこで、本実施例では、導入口８０１７から遊技球Ｂを誘導路８０１７ｂに導き、送出片８０１９のホルダ部８０１９ｂを用いて落下させ、かつ遊技球Ｂの直径長の距離を移動させて発射レール８００２上の発射位置まで導入する。遊技球Ｂが落下すると共に、糸Ｓが引っ張られて切断されやすくなる。
【００８５】
なお、刃部８０２２の形状は、発射方向側へ引っ張られる糸Ｓを引っ掛けて、切断する構造であれば、このような横向きのＶ字形状に限定されない。例えば、横向きに配置した鋸形状の切断刃、又はその上方に糸Ｓの抜け止め部材を具備した１枚の直線状の切断刃にすることも可能である。
【００８６】
＜導入口８０１７における誘導壁８０２５の構造＞
導入口８０１７の奥には、図１７、図１８に示すように誘導壁８０２５を配置した。この誘導壁８０２５は、導入口８０１７の切断部材８０２１の上方において、導入された遊技球Ｂがこの切断部材８０２１に接触しないように、平断面形状が切断部材８０２１部分側が導入口８０１７と誘導路８０１７ｂに向けて大きく突出し、この切断部材８０２１から離間するに従い小さく突出するように形成した部材である。この誘導壁８０２５は、切断部材８０２１の上方に略並行に配置した。または切断部材８０２１の上方において、この切断部材８０２１より誘導路８０１７ｂ側へ出っ張って配置することが好ましい。この実施例では、導入口８０１７が球送り機構８００３の開閉部８０１２側に設けられ、この誘導壁８０２５は同じく球送り機構８００３の台座部８０１１側に設けられている。
【００８７】
誘導壁８０２５は、切断部材８０２１から離間するに従い小さく突出するように形成した。導入口８０１７の奥側から、送出片８０１９のホルダ部８０１９ｂを用いて落下させ、遊技球Ｂを発射レール８００２上の発射位置まで円滑に導入するためである。このように、切断部材８０２１の刃部８０２２の位置が、導入口８０１７から遊技球Ｂを内部に導く誘導路８０１７ｂの下縁側に配置され、かつこの誘導壁８０２５により、球状の遊技球Ｂが通過する際に、遊技球Ｂは刃部８０２２に接触しないので、遊技球Ｂに傷がつかず、刃部８０２２も鈍化することがない。
【００８８】
誘導壁８０２５は、遊技球Ｂが切断部材８０２１に接触することを防止するので、糸Ｓはこの誘導壁８０２５の下方から切断部材８０２１の刃部８０２２に引っ掛けられる。特に、この誘導壁８０２５は球送り機構８００３の台座部８０１１側に設けられているので、糸Ｓが引っ張られる動作を邪魔しない構成になっている。
【００８９】
この誘導壁８０２５は、平断面形状で導入口８０１７（誘導路８０１７ｂ）の下縁側に取り付けられた切断部材８０２１部分が大きく突出し、遊技球Ｂがこの切断部材８０２１に接触しないが、遊技球Ｂを円滑に導入できるように、平面視で湾曲するように形成されている。勿論湾曲形状ではなく、略三角形状にすることも可能である。
【００９０】
図１９は遊技球Ｂの下側に糸Ｓが引き込まれた状態で、この糸Ｓが切断部材８０２１で切断される状態を示す拡大図であり、（ａ）は導入口８０１７から導入された遊技球Ｂが送出片８０１９まで送られた状態、（ｂ）は遊技球Ｂが発射装置８００１で発射された状態である。図２０は遊技球Ｂの上側に糸Ｓが引き込まれた状態で、この糸Ｓ切断部材８０２１で切断される状態を示す拡大図であり、（ａ）は導入口８０１７から導入された遊技球Ｂが送出片８０１９まで送られた状態、（ｂ）は遊技球Ｂが発射装置８００１で発射された状態である。
遊技球Ｂに取り付けられた糸Ｓは、図１９（ａ）に示すように、導入口８０１７において遊技球Ｂの下側に位置していれば、この糸Ｓは切断部材８０２１の刃部８０２２に近い位置を通過しやすい。この状態で、発射レール８００２上の発射位置に導入された遊技球Ｂを発射装置８００１で発射させれば、糸Ｓが緩んだ状態であっても、糸Ｓは導入口８０１７から誘導路８０１７ｂの下縁側に引かれる。図１９（ｂ）に示すように、この位置に切断部材８０２１の刃部８０２２が取り付けられているので、この発射方向側へ引っ張られた糸Ｓは、この刃部８０２２に当たりやすくなり、容易にこの糸Ｓを切断することができる。
【００９１】
しかし、糸付きの遊技球Ｂが導入口８０１７を通過する際に、この遊技球Ｂに取り付けられた糸Ｓの位置が遊技球Ｂの下部ではなく、図２０（ａ）に示すように、遊技球Ｂの上部あるいは誘導路８０１７ｂの下縁側に配置された刃部８０２２とは反対側に位置するときがある。このような状態であっても、落下した遊技球Ｂに追従して糸Ｓが導入口８０１７の下縁を移動するようになる。その状態であっても、図２０（ｂ）に示すように、遊技球Ｂが発射レール８００２上の発射位置に落下し、ここで発射装置により発射され、遊技球Ｂが遊技領域（遊技盤６１）に飛び出す。同時に糸Ｓも飛び出すために、糸Ｓが導入口８０１７の下縁に引っ張られ、かつ発射レール８００２の発射方向側へ引っ張られる。そこで、この緊張した糸Ｓは、導入口８０１７の角部、即ちこの発射方向側に配置された切断部材８０２１の刃部８０２２に当たりやすくなるので、容易に切断することができる。
【実施例２】
【００９２】
＜遊技球発射機構８０の構造＞
図２１は実施例２の遊技球発射機構８０を示す斜視図である。図２２は実施例２の遊技球発射機構８０を示す正面図である。図２３は実施例２の遊技球発射機構８０を示す分解斜視図である。
遊技球発射機構８０は、主に電磁式のソレノイドから成る発射装置８００１と、発射レール８００２と、球送り機構８００３とから構成される。遊技球発射機構８０は、上述した樹脂ベース４１に固定されたベース部材としてのベース板８００４と、ベース板８００４に取り付けられた発射装置８００１と、発射装置８００１の先端側において、発射装置８００１の長手方向に平行に延びるようにしてベース板８００４に取り付けられた断面略Ｍ字状をなすレール部材としての発射レール８００２と、発射レール８００２の基端部に１球ずつ遊技球を誘導案内するべくベース板８００４に取り付けられた球送り機構８００３と、発射レール８００２の基端部（図の右端部）上に載置される遊技球を支持して位置決めをするベース板８００４に取り付けられた位置決め部材８００５（図２３等参照）とを備えている。
【００９３】
図５に示したように、内枠２２（樹脂ベース４１）の前面側に、ベース板８００４を取着するための略平面状の取付部２２０１が形成されている。一方、ベース板８００４は、金属製素材（例えば亜鉛合金など）により略平板状に形成されており、この取付部２２０１において上下方向に沿って配設されている。
【００９４】
ベース板８００４は、図５に示したように、その下端部の背面側が少なくとも遊技球発射ハンドル８４の軸心位置より下方位置において取付部２２０１に当接した状態で配設されている。なお、下端部が軸心位置とほぼ同じ高さ位置となった構成としてもよい。また、パチンコ機１０の左右方向に対して、ベース板８００４の右端部が、遊技領域（遊技盤６１）の右端部と略同一位置となるよう配設されている。
【００９５】
一方、ベース板８００４の左端部（発射レール８００２の先端部近傍部分）は、後述する発射レール８００２の配設位置に合わせるように、遊技領域（遊技盤６１）の左右方向の中央位置（アウト口６８の位置）を越える位置となっている。さらに、ベース板８００４の上端部（発射レール８００２の先端部近傍部分）は、遊技盤６１の下端部近傍に位置している。
【００９６】
また、ベース板８００４は、複数の締結部材としてのねじ等により、内枠２２（樹脂ベース４１）の前面側に固定されるよう構成されている。ベース板８００４には、各締結位置においてねじが挿通される挿通孔が形成されている。本実施例では、図５等からも明らかなように、少なくとも１つの挿通孔の位置、すなわちねじ等による少なくとも１つの締結位置が下皿９６ａに相対する内枠２２の前面側下部にあり、さらに、そのうちの少なくとも１つの締結位置が、遊技球発射ハンドル８４の軸心位置より下方位置、かつ、発射装置８００１の組付け位置より下方位置にある。
【００９７】
＜発射レール８００２の構造＞
発射レール８００２は、発射装置８００１より発射された直後に遊技球を遊技領域（遊技盤６１）へ案内するためのものであって、所定の発射角度（打ち出し角度）となるよう直線的に延びている。遊技球発射ハンドル８４の回動操作に伴い発射された遊技球は、まずは発射レール８００２に沿って斜め上方に打ち出され、その後前述した通り誘導レール（内レール部７７と外レール部７８）の球案内通路を通じて所定の遊技領域（遊技盤６１）に案内されるようになっている。
【００９８】
パチンコ機１０における遊技領域（遊技盤６１）が、例えば従来のものよりも大幅に拡張されるときは、誘導レールの曲率を小さくする必要があり、打出球を安定化させるための工夫を要する。そのときは、遊技球の発射位置を低くするとともに発射レール８００２の傾斜角度（発射角度）を既存のものよりも幾分大きくし（すなわち発射レール８００２を立ち上げるようにし）、さらに発射レール８００２の長さを既存のものよりも長くして十分な長さの球誘導距離を確保するようにする。これにより、発射装置８００１から発射された遊技球をより安定した状態で誘導レール（内レール部７７と外レール部７８）に案内できる。この場合特に、発射レール８００２を、発射装置８００１による発射位置から遊技領域の左右方向の中央位置（アウト口６８の位置）を越える位置まで延びるよう形成する。
【００９９】
＜発射装置８００１の構造＞
本実施例では、発射装置８００１として、リニアソレノイドをケース部材８００１ａに収容した１ユニットのソレノイド式発射装置を採用している。すなわち、発射装置８００１は、発射レール８００２と平行に延びるプランジャ８００６（軸部材）を具備している。勿論、ソレノイド式発射装置８００１に代えて、従来一般的に採用されていたモータ及び発射槌の組み合わせでも良い。
【０１００】
このプランジャ８００６の先端には、遊技球を打撃する打部８００７が装着されている。打部８００７を構成する素材として、本実施例では、ポリエステル系熱可塑性エラストマーが採用されている。このような発射装置８００１が所定時間毎に励磁・非励磁が繰り返し行われ、これにより、プランジャ８００６の出没が繰り返される。プランジャ８００６が突出する際に、所定位置に位置決めされた遊技球Ｂが発射レール８００２から発射される。なお、遊技球発射ハンドル８４の操作量に基づき、プランジャ８００６の突出速度が適宜調整され（ストローク量はほぼ一定）、これにより、遊技球の発射速度ひいては飛翔量が調整されるようになっている。
【０１０１】
なお、発射装置８００１は、ベース板８００４に立設された一対のボス・ボルト８００８に対して、締結部材としてのネジやナット８００９により固定されている。発射装置８００１には、このようなボス・ボルト８００８に対応するように、ネジ・ボルト８００８が挿通される孔部を有した被締結部８０１０が形成されている。本実施例では、発射装置８００１の下側において、ナット８００９の締め具合を適宜調整すること（ボルト８００８の突出量を調整すること）で、ベース板８００４に対する発射装置８００１の取付けられる高さ（突出量）、ひいては、プランジャ８００６の先端位置、つまり遊技球の打点を調整することができるようになっている。また、発射装置８００１は、その全体がベース板８００４の外周縁より内側に配置されている。
【０１０２】
＜位置決め部材８００５の構造＞
位置決め部材８００５は、発射レール８００２の基端部上に載置される遊技球Ｂを支持して位置決めするためのものであって、略直方体形状をなす。位置決め部材８００５には、上下方向に貫通するねじ孔が形成されているとともに、ベース板８００４の所定位置にもねじ孔が形成されている。そして、両ねじ孔同士が位置合わせされた状態で、ねじが螺着されることで、位置決め部材８００５が取り付けられている。
【０１０３】
本実施例では、位置決め部材８００５は、正面視で略逆台形状を有している。この位置決め部材８００５は固定しているねじを緩め適宜回動させた上で、ねじを螺着させることで、位置決め部材８００５の側面と、発射レール８００２基端部との距離が微妙に変更可能となっている。つまり、位置決め部材８００５を回動調整することで、遊技球の支持位置、ひいては、遊技球発射直前の停止位置を微調整することができるようになっている。なお、この位置決め部材８００５は正面視で略逆台形の直方体形状に限定されず、遊技球Ｂの発射方向を微調整できる形状であればこの形状に限定されない。
【０１０４】
＜球送り機構８００３の構造＞
図２４は球送り機構８００３と検出部８０３１を示し、（ａ）は球送り機構８００３の開閉部８０１２の正面図、（ｂ）は球送り機構８００３の開閉部８０１２の背面図である。
球送り機構８００３は、上皿９５ａ側から案内されてくる遊技球Ｂを１球ずつ、発射レール８００２の基端部（発射位置）に案内するためのものであり、発射装置８００１の上部を被覆するようにしてベース板８００４に固定された樹脂製の台座部８０１１を介してベース板８００４に取り付けられる（図２３等参照）。
【０１０５】
球送り機構８００３は、台座部８０１１の前面側に形成された略平面状の取付部に着脱可能に取付けられる樹脂製のケース部材としての開閉部８０１２を備え、この開閉部８０１２に遊技球Ｂを送る機構が収容され一組化された構成となっている。なお、本実施例では、台座部８０１１及び開閉部８０１２は、透明又は半透明部材であって、透明又は半透明の合成樹脂により形成されている。このため、開閉部８０１２の外部から、内部に収容された球送りの機構を視認できる。このため、球送り機構８００３に何らかの不具合が発生した場合などにおいても、開閉部８０１２を取り外すことなく、その状態を認識できる。
【０１０６】
なお、開閉部８０１２には上下一対の軸部８０１３が設けられ、台座部８０１１には軸部８０１３が差し込まれる上下一対の軸受部８０１４が設けられており、これにより、開閉部８０１２は台座部８０１１の一側（図の右側）にて開閉可能に軸支されている。また、軸部８０１３が軸受部８０１４に対して着脱可能となっている。つまり、開閉部８０１２が台座部８０１１に着脱可能となっている。
【０１０７】
また、開閉部８０１２の軸部８０１３とは反対側には前方（台座部８０１１側）へ突出する係止爪８０１５が一体形成されている。台座部８０１１には、この係止爪８０１５を受ける係止孔８０１６が形成されている。常に開閉部８０１２は台座部８０１１と閉状態となっているとともに、この閉状態で係止爪８０１５は操作可能となっている。つまり、開閉部８０１２が閉鎖されると、係止孔８０１６に係止爪８０１５が必然的に係止されることとなり、これにより、閉状態が維持されるようになっている。
【０１０８】
図２５は導入口８０１７に送られた遊技球Ｂが送出片８０１９により１球ずつ発射レール８００２に落とされる状態の球送り機構８００３の開閉部８０１２を示す拡大正面図である。なお、図２５と後述する図３１、図３２は、開閉部８０１２を開けた拡大図であり、球送り機構８００３の内部を裏面から見た状態を示しているので、遊技球Ｂの動作状態は左右と前後が逆の動作になっている。
図２３等に示すように、開閉部８０１２は、少なくとも一部が遊技球Ｂの発射位置（位置決め部材８００５によって遊技球Ｂが停止される位置）に対応した発射レール８００２の一区間に沿って配設されるよう組み付けられている。これにより、発射位置において、開閉部８０１２が発射レール８００２を挟んでベース板８００４と対向するよう組付けられた状態となるため、発射位置に置かれる遊技球Ｂの発射レール８００２からのこぼれ落ちを規制し、遊技球Ｂを所定の発射位置に維持することができる。結果として、部品点数を増やすことなく遊技球Ｂのこぼれ落ちを規制し、遊技球Ｂに対して発射装置８００１の打部８００７をより確実に当打させることができる。また、開閉部８０１２を取り外すことなく、透明（半透明）の開閉部８０１２を透して、発射レール８００２上の遊技球Ｂを視認することも可能となり、発射レール８００２上に遊技球Ｂが複数並んで置かれているなどの不具合を認識することができる。
【０１０９】
開閉部８０１２の前部には、上皿９５ａから案内されてくる遊技球Ｂを導入する導入口８０１７が設けられており、この導入口８０１７から遊技球Ｂが下方へと導入される。なお、開閉部８０１２の内部空間内には、遊技球Ｂを１球ずつ送り出すための電磁石８０１８及び送出片８０１９が設けられている。  開閉部８０１２の上部（天井）には遊技球Ｂの導入を規制するための位置決め凸条８０１７ａが進入方向と平行に形成されている。
【０１１０】
送出片８０１９は、その一端のコーナー部分（軸支部８０１９ａ）が、開閉部８０１２に対し回動可能に軸支されており、軸支部８０１９ａとは反対側において、遊技球Ｂを１個だけ収容可能に凹設されたホルダ部８０１９ｂを具備している。また、ホルダ部８０１９ｂと軸支部８０１９ａとを結ぶ上辺部分には、電磁石８０１８に対向するようにして磁性金属よりなる金属片８０１９ｃが取り付けられている。
【０１１１】
このような構成により、電磁石８０１８がオン状態とされた場合には、送出片８０１９の金属片８０１９ｃがこの電磁石８０１８に吸引され、送出片８０１９が上方へ回動する。これにより、導入口８０１７から導入された遊技球Ｂがホルダ部８０１９ｂに収容され、この遊技球Ｂの下方への流動が規制される。一方、電磁石８０１８がオフ状態とされた場合には、送出片８０１９が重力によって下方へ回動し、ホルダ部８０１９ｂに収容されていた遊技球Ｂが下方へと流下し、発射レール８００２の基端部へと案内される。
【０１１２】
なお、電磁石８０１８がオフ状態とされた場合には、送出片８０１９の上部によって次の遊技球Ｂのホルダ部８０１９ｂへの流下が規制されている。従って、電磁石８０１８のオン・オフ動作が繰り返し実行されることで、遊技球Ｂが１球ずつ発射起点位置（所定位置）へと案内されることとなる。なお、電磁石８０１８のオン・オフと、発射装置８００１（ソレノイド）の励磁・非励磁とが同期させられるよう構成されている。
【０１１３】
＜検出部８０３１の構造＞  
図２６は検出部８０３１を示し、（ａ）は拡大側面図、（ｂ）は拡大正面図である。
実施例２の球送り機構８００３には、その開閉部８０１２の導入口８０１７から遊技球Ｂを内部に導く誘導路８０１７ｂの近傍に検出部８０３１が取り付けられている。この検出部８０３１は、遊技球Ｂに取り付けられた糸Ｓの接触を検出する検出器である。この検出部８０３１は、糸Ｓの接触を検出しやすいように導入口８０１７から連続する誘導路８０１７ｂであって、遊技球Ｂを発射レール８００２に落とす位置の近傍に取り付けられている。
【０１１４】
この検出部８０３１には、糸Ｓの接触といった微力な接触圧力について検出できる検出器が好ましく、たとえば感圧導電性エラストマー８０３１ａを用いることができる。この感圧導電性エラストマー８０３１ａは導入口８０１７から連続する誘導路８０１７ｂという狭い箇所に取り付けることができるという特性もある。また、この感圧導電性エラストマー８０３１ａではなく感圧導電性ゴムを用いることができる。この感圧導電性ゴムも導入口８０１７（誘導路８０１７ｂ）という狭い箇所に取り付けることができるという特性がある。この検出部８０３１には、更に開閉部８０１２にネジ止めするネジ孔８０３４が開けられている。検出部８０３１の交換を容易に実施するためである。
【０１１５】
＜検出部８０３１に接触子８０３２を用いた構造＞  
図２７は検出部８０３１に接触子８０３２を用いた状態を示し、（ａ）は拡大側面図、（ｂ）は拡大正面図である。
実施例２の検出部８０３１は、糸Ｓを捉え、その接触を検出しやすいように、感圧導電性エラストマー８０３１ａに板状の接触子８０３２を取り付けることが好ましい。検出部８０３１を構成する基部８０３３に、感圧導電性エラストマー８０３１ａに金属製又は合成樹脂製の板状の接触子８０３２を取り付けることで、この接触子８０３２に糸Ｓが接触したことにより高感度に検出することができる。感圧導電性エラストマー８０３１ａは、粘弾性体であるエラストマーを使用し、導電粒子同士が接触したり離れたりすることによる出力電圧の相違により検出するものである。板状の接触子８０３２により大きく感圧導電性エラストマー８０３１ａが歪むことで糸Ｓの接触を高感度に検出することができる。
【０１１６】
この球送り機構８００３に組み込まれた検出部８０３１は、遊技球Ｂを発射する際にこの遊技球Ｂと共に導入された糸Ｓの接触を検出することができる。糸Ｓが緩んでいると、検出部８０３１の感圧導電性エラストマー８０３１ａ（接触子８０３２）に当たっていてもその接触が検出されないことがある。そこで、遊技球Ｂが発射レール８００２の発射方向側へ引っ張られ、同時に糸Ｓも引っ張られたときに、ある程度緊張した状態になる糸Ｓがこの感圧導電性エラストマー８０３１ａ（接触子８０３２）に強く当たれば、その接触を容易に検出することができる。
【０１１７】
導入口８０１７から導かれた遊技球Ｂが誘導路８０１７ｂの位置で落下し、発射レール８００２上の発射位置に導入されても、遊技球Ｂに取り付けられた糸Ｓが、検出部８０３１を構成する感圧導電性エラストマー８０３１ａ（接触子８０３２）に当たるとは限らない。例えば、遊技球Ｂの上部に釣り糸Ｓが取り付けられ、そのまま発射レール８００２上まで遊技球Ｂが落下すると、糸Ｓが緩んだ状態で発射されることがある。この場合では、釣り糸Ｓを検出部８０３１の感圧導電性エラストマー８０３１ａ（接触子８０３２）に当てても接触を検出できない場合がある。そこで、本実施例では、導入口８０１７から遊技球Ｂを誘導路８０１７ｂに導き、送出片８０１９のホルダ部８０１９ｂを用いて落下させ、かつ遊技球Ｂの直径長の距離を移動させて発射レール８００２上の発射位置まで導入する。遊技球Ｂが落下すると共に、糸Ｓが引っ張られる。そこで、この緊張した糸Ｓは、検出部８０３１の感圧導電性エラストマー８０３１ａ（接触子８０３２）に強く当たりやすくなるので、容易にその接触を検出することができる。
【０１１８】
＜糸検出処理＞
図２８は検出部８０３１を用いた糸検出の処理フロー図である。
糸検出処理では、図２８に示すように、主制御基板は、まず検出部８０３１が糸Ｓと接触状態か否かを判定する（Ｓ０１）。接触状態でなければ（Ｓ０１で「ＮＯ」）、糸検出処理を終える。
接触状態であれば（Ｓ０１で「ＹＥＳ」）、続いて、検出部８０３１が所定時間以上継続して接触状態であるか否かを判定する（Ｓ０２）。所定時間以上継続して接触状態でなければ（Ｓ０２で「ＮＯ」）、糸検出処理を終える。
所定時間以上継続して接触状態であれば（Ｓ０２で「ＹＥＳ」）、糸付き球が遊技領域（遊技盤６１）へ発射されたと判定し、所定のエラー処理を行う（Ｓ０３）。ここで、所定時間は、正常に遊技されている場合において埃が検出部８０３１の感圧導電性エラストマー８０３１ａ（接触子８０３２）に接触する一瞬の接触状態を排除し、誤作動を解消するための時間に設定される。
【０１１９】
＜エラー処理＞
実施例２のパチンコ機１０では、主制御基板によるエラー処理（Ｓ０３）として、パチンコ機１０が備えるランプ等又はパチンコホールにおいてパチンコ機１０の上方に設置されるデータカウンタなどの外部機器を点灯点滅させたり、スピーカ９４から警告音を鳴らしたり、表示部にエラーである旨を表示したりして、糸付き球による不正行為が検出されたことをホールの従業員などに知らせる。
【０１２０】
また、主制御基板は、検出部８０３１により糸付き球による不正行為が検出されたことを伝える不正検出信号を、ホストコンピュータに対して送信して、不正行為が検出されたことをホールの管理者に知らせる。
【０１２１】
また、主制御基板は、上記のような処理に代えて、又は、上記のような処理とともに、たとえば以後主制御基板が、入賞口で入力される信号を無効とするように制御することもできる。
【０１２２】
＜検出部８０３１の接触子８０３２の変形例＞    
図２９は検出部８０３１の接触子８０３２の変形例を示す正面図であり、（ａ）は凹部８０３５が湾曲形状した状態、（ｂ）は鉤形状した状態、（ｃ）は横向きのＶ字形状した状態、（ｄ）は横向きのＵ字形状した状態である。
接触子８０３２の形状は、発射方向側へ引っ張られる糸Ｓを引っ掛けて、接触しやすい形状であれば、上述したような１枚の直線状の感圧検出部８０３１を配置し、または感圧導電性エラストマー８０３１ａに取り付けた接触子８０３２を傾斜した状態で配置する形態に限定されない。次のように、種々の形状の接触子８０３２を用いることが可能である。
【０１２３】
図２９（ａ）に示すように、接触子８０３２を、糸Ｓが接触する凹部８０３５を湾曲形状にすると、緩んだ状態の糸Ｓが、発射された遊技球Ｂで引っ張られた際に容易に捉えることができる。同様に、図２９（ｂ）に示すように、接触子８０３２を、鉤形状の凹部８０３５にすることで、引っ張られた糸Ｓを容易に捉えることができる。
【０１２４】
あるいは、図２９（ｃ）に示すように、接触子８０３２を横向きのＶ字形状の凹部８０３５にすることで、遊技球Ｂが発射され同時に引っ張られる糸Ｓを容易に捉えることができる。同様に、図２９（ｄ）に示すように接触子８０３２を横向きのＵ字形状にすることで、遊技球Ｂが発射され同時に引っ張られる糸Ｓを容易に捉えることができる。
【０１２５】
＜導入口８０１７における誘導壁８０２５の構造＞
図３０は導入口８０１７の誘導壁８０２５と検出部８０３１を示す拡大図であり、（ａ）は正面図、（ｂ）は平断面図である。
導入口８０１７の奥には、誘導壁８０２５を配置した。この誘導壁８０２５は、導入口８０１７の検出部８０３１（接触子８０３２）の上方において、導入された遊技球Ｂがこの検出部８０３１（接触子８０３２）に接触しないように、平断面形状が検出部８０３１（接触子８０３２）部分側が導入口８０１７と誘導路８０１７ｂに向けて大きく突出し、この検出部８０３１（接触子８０３２）から離間するに従い小さく突出するように形成した部材である。この誘導壁８０２５は、検出部８０３１（接触子８０３２）の上方に略並行に配置した。または検出部８０３１（接触子８０３２）の上方において、この検出部８０３１（接触子８０３２）より誘導路８０１７ｂ側へ出っ張って配置することが好ましい。この実施例では、導入口８０１７が球送り機構８００３の開閉部８０１２側に設けられ、この誘導壁８０２５は同じく球送り機構８００３の台座部８０１１側に設けられている。
【０１２６】
誘導壁８０２５は、検出部８０３１（接触子８０３２）から離間するに従い小さく突出するように形成した。導入口８０１７から連続する誘導路８０１７ｂから、送出片８０１９のホルダ部８０１９ｂを用いて落下させ、遊技球Ｂを発射レール８００２上の発射位置まで円滑に導入するためである。このように、検出部８０３１の感圧導電性エラストマー８０３１ａ又は接触子８０３２の位置が、導入口８０１７から遊技球Ｂを内部に導く誘導路８０１７ｂの下縁側に配置され、かつこの誘導壁８０２５により、球状の遊技球Ｂが通過する際に、遊技球Ｂは感圧導電性エラストマー８０３１ａ又は接触子８０３２に接触しないので、遊技球Ｂによる誤作動は生じないようになっている。
【０１２７】
誘導壁８０２５は、遊技球Ｂが検出部８０３１（接触子８０３２）に接触することを防止するので、糸Ｓはこの誘導壁８０２５の下方から検出部８０３１の感圧導電性エラストマー８０３１ａ又は接触子８０３２に当たる。特に、この誘導壁８０２５は球送り機構８００３の台座部８０１１側に設けられているので、糸Ｓが引っ張られる動作を邪魔しない。
【０１２８】
この誘導壁８０２５は、平断面形状で導入口８０１７の下縁側に取り付けられた検出部８０３１（接触子８０３２）部分が大きく突出し、遊技球Ｂがこの検出部８０３１（接触子８０３２）に接触しないが、遊技球Ｂを円滑に導入できるように、平面視で湾曲するように形成されている。勿論略湾曲形状ではなく、略三角形状にすることも可能である。
【０１２９】
図３１は遊技球Ｂの下側に糸Ｓが引き込まれた状態で、この糸Ｓが検出部８０３１（接触子８０３２）で接触が検出される状態を示す拡大図であり、（ａ）は導入口８０１７から導入された遊技球Ｂが送出片８０１９まで送られた状態、（ｂ）は遊技球Ｂが発射装置８００１で発射された状態である。図３２は遊技球Ｂの上側に糸Ｓが引き込まれた状態で、この糸Ｓが感圧検出部８０３１（接触子８０３２）で接触が検出される状態を示す拡大図であり、（ａ）は導入口８０１７から導入された遊技球Ｂが送出片８０１９まで送られた状態、（ｂ）は遊技球Ｂが発射装置８００１で発射された状態である。
遊技球Ｂに取り付けられた糸Ｓは、図３１（ａ）に示すように、導入口８０１７において遊技球Ｂの下側に位置していれば、この糸Ｓは検出部８０３１（接触子８０３２）に近い位置を通過しやすい。この状態で、発射レール８００２上の発射位置に導入された遊技球Ｂを発射装置８００１で発射させれば、糸Ｓが緩んだ状態であっても、糸Ｓは導入口８０１７から誘導路８０１７ｂの下縁側に引かれ、そのまま誘導路８０１７ｂの下縁側において引っ張られる。図３１（ｂ）に示すように、この位置に検出部８０３１（接触子８０３２）が取り付けられているので、この発射方向側へ引っ張られた糸Ｓは、この感圧検出部８０３１（接触子８０３２）に強く当たりやすくなり、容易にこの糸Ｓの接触を検出することができる。
【０１３０】
しかし、糸付きの遊技球Ｂが導入口８０１７を通過する際に、この遊技球Ｂに取り付けられた糸Ｓの位置が遊技球Ｂの下部ではなく、図３２（ａ）に示すように、遊技球Ｂの上部あるいは誘導路８０１７ｂの下縁側に配置された検出部８０３１（接触子８０３２）とは反対側に位置するときがある。このような状態であっても、落下した遊技球Ｂに追従して糸Ｓが導入口８０１７の下縁を移動するようになる。その状態であっても、図３２（ｂ）に示すように、遊技球Ｂが発射レール８００２上の発射位置に落下し、ここで発射装置により発射され、遊技球Ｂが遊技領域（遊技盤６１）に飛び出す。同時に糸Ｓも飛び出すために、糸Ｓが導入口８０１７の下縁に引っ張られ、かつ発射レール８００２の発射方向側へ引っ張られる。そこで、この緊張した糸Ｓは、導入口８０１７の角部、即ちこの発射方向側に配置された感圧検出部８０３１（接触子８０３２）に強く当たりやすくなるので、容易に接触を検出することができる。
【０１３１】
＜検出部８０３１の変形例＞    
図３３は検出部８０３１の変形例を示し、（ａ）は正面図、（ｂ）は側面図である。
検出部８０３１は、上述した感圧導電性エラストマー８０３１ａ又は感圧導電性ゴムに限定されない。遊技球Ｂに引っ張られる糸Ｓの接触を検出できる検出器であれば、その他の構造の検出器を用ることができる。例えば、図３３に示すように、この検出部８０３１は、検出部８０３１を構成する基部８０３６に可動子８０３７を揺動自在に取り付け、この可動子８０３７が糸Ｓの接触で振動したときに信号を発する振動検出器８０３８から成る。このような振動検出器８０３８から成る検出部８０３１であっても遊技球Ｂに取り付けられた糸Ｓを容易に検出することができる。
【０１３２】
更に、検出部８０３１は、糸Ｓの接触を検出する構成に限定されない。例えば、遊技球Ｂに引っ張られる糸Ｓの通過を光によって検出する光検出器を用いることも可能である（図示していない。）。光検出器としては、透過光の遮光の有無を検出する透過型フォトセンサを用いる。これは遊技球Ｂは通過しない位置に、発光素子の光が受光素子に当たるように双方の素子が向かい合った構造の透過型フォトセンサーを配置したものである。遊技球Ｂに引っ張られる糸Ｓで、発光素子の光が遮光されたときに受光素子が出力するように構成したもので、遊技球Ｂに取り付けられた糸Ｓを容易に検出することができる。
【０１３３】
または、検出部８０３１は、基部とこの基部に揺動自在に取り付けた可動子と、遊技球Ｂに引っ張られる糸Ｓでこの可動子が可動したときに、光によって検出する光検出器とから成る構造の検出器を用いることも可能である（図示していない。）。
これら以外にも、遊技球Ｂに引っ張られる糸Ｓの存在を検出することができる検出器であれば、本発明の検出部８０３１として用いることができる。
【０１３４】
なお、上述した実施の形態の記載内容に限定されず、例えば次のように実施してもよい。
上記実施の形態では、図柄表示装置を備えたパチンコ機１０に対して本発明を適用したが、それ以外のタイプのパチンコ機に適用してもよい。例えば、遊技球転動部や有利口などが設けられた入賞役物装置を備えたパチンコ機や、他の役物を備えたパチンコ機、アレンジボール機、雀球等の遊技機にも、本発明を適用できる。また、受け皿として上皿及び下皿が設けられているのではなく、単一の受け皿が設けられたパチンコ機にも、本発明を適用できる。
【０１３５】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０１３６】
遊技機Ａ
本発明は、パチンコ、スロットマシンあるいはメダルの代わりにパチンコ球でスロットマシンの遊技をするパロット等の遊技機に関する。
【０１３７】
パチンコ機（遊技機）は、球受け皿内の遊技球を遊技領域の上流へ向けて発射し、遊技領域を流下する遊技球が遊技領域に配された入賞口に入球すると、遊技者は所定個数の賞球を受けることができる。そこで、入賞口に入球しやすいように、いわゆる「糸付き球」を用いて不正行為が多く行われるようになった。この「糸付き球」とは、遊技球に釣り糸などの糸を取り付けたものである。この糸付き球を遊技領域に向けて発射し、この糸をパチンコ機の外部から操作することで、その遊技球を入賞口まで誘導して、不正に賞球などを得る行為がなされている。
【０１３８】
なお、遊技球が遊技領域（遊技盤面）で動かないと不自然であるために、金属製の遊技球に代えて、パチンコ機の外部から見えづらい透明な合成樹脂製の球を用いた「糸付き球」もあり、合成樹脂製の球に釣り糸などの糸を取り付けたものも使用されている。
【０１３９】
糸付き球を用いて不正に遊技球を入賞させる不正入賞行為を抑止する技術について、例えば特許文献２の特開２０１２−３４８５４号公報の「弾球遊技機の球通路構造」が提案されている。
【０１４０】
【特許文献２】特開２０１２−３４８５４号公報
【０１４１】
しかし、特許文献３の「弾球遊技機の球通路構造」では、糸が緩んでいるときは、的確に糸を捉えづらかった。即ち、糸が緩んでいるときは、糸の切断がしづらいという問題を有していた。
【０１４２】
本発明は、上述した問題点等を解決するために創案されたものである。すなわち、本発明の目的は、糸等を付けた遊技球を操作して不正に入賞させる行為を抑止できる遊技機を提供することにある。
【０１４３】
遊技機Ａ１は、遊技機の遊技領域へ向けて遊技球を発射すると共に、糸付き球の糸を切断する機能を有する遊技球発射機構を備えた遊技機であって、
球受け皿に貯溜されている遊技球を１球ずつ供給する球送り機構と、
前記球受け皿から遊技球を前記球送り機構に導入する導入口と、
前記球送り機構により供給されて発射装置によって発射された遊技球を前記遊技領域へ向けて誘導する発射レールと、
前記導入口から連続する誘導路の近傍に取り付けられた、刃部を有する切断部材と、を備え、
前記導入口を通り誘導路から落下した遊技球を、前記発射レールの発射位置から発射させる際に、この飛び出す遊技球に引っ張られる糸を切断するように、遊技球の発射方向に対向するように刃部を向けて前記切断部材を取り付けた、ことを特徴とする遊技機。
【０１４４】
遊技機Ａ１では、糸付きの遊技球が導入口から誘導路を通過し、遊技球が発射レール上の発射位置に落下し、ここで発射装置により発射され、遊技球が遊技領域（遊技盤）に飛び出すと同時に糸も飛び出すために、引っ張られた糸が導入口（誘導路）の下縁に当たりながら発射レールの発射方向側へ引っ張られる。切断部材の刃部が導入口（誘導路）の下縁側に配置されているので、この発射方向側へ引っ張られた糸は、この切断部材の刃部に当たりやすくなり、容易に切断することができる。即ち、糸が緩んでいても、遊技球が発射される際に、その糸を切断することができる。
【０１４５】
遊技機Ａ２は、前記切断部材の刃部は、前記導入口から連続する誘導路の近傍の下縁側に取り付けられた、ことを特徴とする遊技機Ａ１の遊技機。
遊技機Ａ２では、遊技球が導入口から誘導路を通過する際に、この遊技球に取り付けられた糸が、遊技球の下部ではなく、遊技球の上部又は切断部材の刃部とは反対側に位置するときでも、発射レールに落下した遊技球に引っ張られた糸は導入口から誘導路の下縁位置で移動し、発射装置により遊技球が遊技領域（遊技盤）に飛び出すと同時に糸も飛び出すために、糸が発射レールの発射方向側へ引っ張られ、この緊張した糸は切断部材の刃部で切断されやすくなる。
【０１４６】
遊技機Ａ３は、前記導入口から連続する誘導路かつ前記切断部材の上方に、導入された遊技球が該切断部材に接触しないように、平断面形状が該切断部材側が大きく突出し、該切断部材から離間するに従い小さく突出するように形成した誘導壁を、該切断部材と並行に配置した、ことを特徴とする遊技機Ａ１又はＡ２の遊技機。
遊技機Ａ３では、誘導壁により遊技球を発射レール上の発射位置まで円滑に導入することできる。球状の遊技球Ｂが導入口から連続する誘導路を通過する際に、誘導壁により遊技球は刃部に接触しないので、遊技球に傷がつかず、刃部も鈍化することがない。
【０１４７】
遊技機Ａ４は、前記切断部材は、糸を捉えやすいように横向きのＶ字形状になる刃部を備えた、ことを特徴とする遊技機Ａ１、Ａ２又はＡ３の遊技機。
遊技機Ａ４では、糸を当てて容易に切断できるだけなく、糸が刃部から外れづらい機能を有する。遊技球の発射と共に、遊技球に付けた糸が発射レールの発射方向側へ引っ張られたときに、この横向きのＶ字形状の刃部であれば、この糸Ｓを捉えやすくなる。その結果切断が確実になる。
【０１４８】
遊技機Ａ５は、前記切断部材は、刃部が横向きのＶ字形状になる共に、該刃部の谷位置から横方向に隙間を開け、該刃部の厚み方向にずれている、ことを特徴とする遊技機Ａ４の遊技機。
遊技機Ａ５では、遊技球と同時に引っ張られる糸を容易に捉えることができる。この切断部材で糸Ｓを切断できなくても、この隙間に捉えることでも不正の発見に寄与できる。
【０１４９】
因みに、特徴Ａ１乃至特徴Ａ５のいずれか１つ又はそれらの組み合わせを上記特徴Ａ１乃至Ａ５に適用してもよい。
【０１５０】
遊技機Ｂ
本発明は、パチンコ、スロットマシンあるいはメダルの代わりにパチンコ球でスロットマシンの遊技をするパロット等の遊技機に関する。
【０１５１】
パチンコ機（遊技機）は、球受け皿内の遊技球を遊技領域の上流へ向けて発射し、遊技領域を流下する遊技球が遊技領域に配された入賞口に入球すると、遊技者は所定個数の賞球を受けることができる。そこで、入賞口に入球しやすいように、いわゆる「糸付き球」を用いて不正行為が多く行われるようになった。この「糸付き球」とは、遊技球に釣り糸などの糸を取り付けたものである。この糸付き球を遊技領域に向けて発射し、この糸をパチンコ機の外部から操作することで、その遊技球を入賞口まで誘導して、不正に賞球などを得る行為がなされている。
【０１５２】
なお、遊技球が遊技盤面で動かないと不自然であるために、金属製の遊技球に代えて、パチンコ機の外部から見えづらい透明な合成樹脂製の球を用いた「糸付き球」もあり、合成樹脂製の球に釣り糸などの糸を取り付けたものも使用されている。
【０１５３】
糸付き球を用いて不正に遊技球を入賞させる不正入賞行為を抑止する技術について、例えば特許文献３の特開２０１２−７０７８２号公報の「パチンコ遊技機」が提案されている。
【０１５４】
【特許文献３】特開２０１２−７０７８２号公報
【０１５５】
しかし、特許文献３の「パチンコ遊技機」では、遊技球に取り付けた糸が緩んでいるときは、荷重によって作動する不正検知部でこの糸を的確に捉えることが困難になりやすいという問題を有していた。
【０１５６】
本発明は、上述した問題点等を解決するために創案されたものである。すなわち、本発明の目的は、糸等を付けた遊技球を操作して遊技球を不正に入賞させる不正行為を抑止できる遊技機を提供することにある。
【０１５７】
遊技機Ｂ１は、遊技機の遊技領域へ向けて遊技球を発射すると共に、糸付き球の糸を検出する機能を有する遊技球発射機構を備えた遊技機であって、
球受け皿に貯溜されている遊技球を１球ずつ供給する球送り機構と、
前記球受け皿から遊技球を前記球送り機構に導入する導入口と、
前記球送り機構により供給されて発射装置によって発射された遊技球を前記遊技領域へ向けて誘導する発射レールと、
前記導入口から連続する誘導路の近傍に取り付けられた、糸付き球の糸を検出する検出部と、を備え、
前記導入口を通り誘導路から落下した遊技球を、前記発射レールの発射位置から発射させる際に、この飛び出す遊技球に引っ張られる糸に向けて前記検出部を取り付けた、ことを特徴とする遊技機。
【０１５８】
遊技機Ｂ１では、糸付きの遊技球が導入口から誘導路を通過し、遊技球が発射レール上の発射位置に落下し、ここで発射装置により発射され、遊技球が遊技領域（遊技盤）に飛び出すと同時に糸も飛び出すために、引っ張られた糸が導入口（誘導路）の下縁に当たりながら発射レールの発射方向側へ引っ張られる。この発射方向側へ引っ張られた糸は、導入口から連続する誘導路の近傍に設けられた検出部に強く当たりやすくなり、糸の接触を容易に検出することができる。即ち、糸が緩んでいても、遊技球が発射される際に、検出部でその糸を検出することができる。
【０１５９】
遊技機Ｂ２は、前記検出部は、前記導入口から連続する誘導路近傍の下縁側に取り付けられた、ことを特徴とする遊技機Ｂ１の遊技機。
遊技機Ｂ２では、遊技球が導入口から誘導路を通過する際に、この遊技球に取り付けられた糸が、遊技球の下部ではなく、遊技球の上部又は検出部とは反対側に位置するときでも、発射レールに落下した遊技球に引っ張られた糸は導入口から誘導路の下縁位置で移動し、発射装置により遊技球が遊技領域（遊技盤）に飛び出すと同時に糸も飛び出すために、糸が発射レールの発射方向側へ強く引っ張られ、この緊張した糸は検出部に接触して検出されやすくなる。
【０１６０】
遊技機Ｂ３は、前記導入口から連続する誘導路かつ前記検出部の上方に、導入された遊技球が該検出部に接触しないように、平断面形状が該検出部側が大きく突出し、該検出部から離間するに従い小さく突出するように形成した誘導壁を、該検出部と並行に配置した、ことを特徴とする遊技機Ｂ１又はＢ２の遊技機。
遊技機Ｂ３では、誘導壁により遊技球を発射レール上の発射位置まで円滑に導入することできる。球状の遊技球Ｂが導入口から連続する誘導路を通過する際に、誘導壁により遊技球は検出部に接触しないので、遊技球に傷がつかず、検出部も故障しない。
【０１６１】
遊技機Ｂ４は、前記検出部は、感圧導電性エラストマー又は感圧導電性ゴムのような前記糸の接触を検出する感圧検出器である、ことを特徴とする遊技機Ｂ１、Ｂ２又はＢ３の遊技機。
遊技機Ｂ４では、糸の接触といった微力な接触圧力について検出できる。この検出部は導入口から連続する誘導路という狭い箇所に取り付けることができる。
【０１６２】
遊技機Ｂ５は、前記検出部に接触子を取り付けた、ことを特徴とする遊技機Ｂ４の遊技機。
遊技機Ｂ５では、この接触子により、糸が接触したことを高感度に検出することができる。
【０１６３】
遊技機Ｂ６は、前記検出部は、基部と該基部に揺動自在に取り付けた可動子と、遊技球に引っ張られる糸で該可動子が振動したときに信号を発する振動検出器とから成る、ことを特徴とする遊技機Ｂ１、Ｂ２又はＢ３の遊技機。
遊技機Ｂ７は、前記検出部は、遊技球に引っ張られる糸の通過を光によって検出する光検出器である、ことを特徴とする遊技機Ｂ１、Ｂ２又はＢ３の遊技機。
遊技機Ｂ８は、前記検出部は、基部と該基部に揺動自在に取り付けた可動子と、遊技球に引っ張られる糸で該可動子が可動したときに光によって検出する光検出器とから成る、ことを特徴とする遊技機Ｂ１、Ｂ２又はＢ３の遊技機。
【０１６４】
因みに、特徴Ｂ１乃至特徴Ｂ８のいずれか１つ又はそれらの組み合わせを上記特徴Ｂ１乃至Ｂ８に適用してもよい。
【０１６５】
以下に、以上の各特徴を適用し得る遊技機の基本構成を示す。
【０１６６】
パチンコ遊技機：遊技者が操作する操作手段（遊技球発射ハンドル）と、その操作手段の操作に基づいて遊技球を発射する遊技球発射手段（遊技球発射機構のソレノイド）と、その発射された遊技球を所定の遊技領域に導く球通路と、遊技領域内に配置された各遊技部品（釘等）とを備え、それら各遊技部品のうち所定の通過部（作動口等）を遊技球が通過した場合に遊技者に特典を付与する遊技機。
【０１６７】
遊技機１０、Ａ１〜Ａ５、Ｂ１〜Ｂ８のいずれかにおいて、前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【０１６８】
遊技機１０、Ａ１〜Ａ５、Ｂ１〜Ｂ８のいずれかにおいて、前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１６９】
遊技機１０、Ａ１〜Ａ５、Ｂ１〜Ｂ８のいずれかにおいて、前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手投（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【０１７０】
本発明の遊技機は、主にパチンコ機の遊技機に利用することができるが、遊技機の基板を収容する基板ケース（基板ボックス）を有する構成の遊技機であれば、パチンコ機以外の様々な遊技機に利用することができる。
【符号の説明】
【０１７１】
１０  遊技機としてのパチンコ機
８０  遊技球発射機構
８００１  発射装置
８００２  発射レール
８００３  球送り機構
８０１１  台座部
８０１２  開閉部
８０１７  導入口
８０１７ｂ  誘導路
８０２１  切断部材
８０２２  刃部
８０２３  隙間
８０２５  誘導壁
Ｂ  遊技球
Ｓ  糸
【図１】
2014090870.tif 000003
【図２】
2014090870.tif 000004
【図３】
2014090870.tif 000005
【図４】
2014090870.tif 000006
【図５】
2014090870.tif 000007
【図６】
2014090870.tif 000008
【図７】
2014090870.tif 000009
【図８】
2014090870.tif 000010
【図９】
2014090870.tif 000011
【図１０】
2014090870.tif 000012
【図１１】
2014090870.tif 000013
【図１２】
2014090870.tif 000014
【図１３】
2014090870.tif 000015
【図１４】
2014090870.tif 000016
【図１５】
2014090870.tif 000017
【図１６】
2014090870.tif 000018
【図１７】
2014090870.tif 000019
【図１８】
2014090870.tif 000020
【図１９】
2014090870.tif 000021
【図２０】
2014090870.tif 000022
【図２１】
2014090870.tif 000023
【図２２】
2014090870.tif 000024
【図２３】
2014090870.tif 000025
【図２４】
2014090870.tif 000026
【図２５】
2014090870.tif 000027
【図２６】
2014090870.tif 000028
【図２７】
2014090870.tif 000029
【図２８】
2014090870.tif 000030
【図２９】
2014090870.tif 000031
【図３０】
2014090870.tif 000032
【図３１】
2014090870.tif 000033
【図３２】
2014090870.tif 000034
【図３３】
2014090870.tif 000035